(57)【要約】【課題】  ウィンドウベースのコンピュータ表示システムで有用なヘルプ・インタフェースのための装置および方法を提供すること。  ウィンドウは、その定義域に水平に広がる英字スクロール・バーを含む。バーの長さに沿って複数の英数字、記号文字、またはその他の文字（まとめて「文字」）が表示される。バー上に表示される文字の上に選択的に位置決め可能なスライダが提供される。バー上の文字の上にスライダを置くと、ＣＰＵによって選択された文字に対応するデータが表示される。【選択図】  図９
2010244574.tif 000002
【特許請求の範囲】
【請求項１】
データの表示のためにディスプレイに結合された中央演算処理装置（ＣＰＵ）を有するデータ処理システムにおいて： 
少なくとも前記データの一部を前記ディスプレイ上のウインドウのある区域に表示する手段を備え；
スライダが設けられているバーに沿って複数の文字を表示する手段を備え、前記バーにそった前記複数の文字に対する前記スライダの位置によって、前記データの一部が決定され；
前記ウインドウの前記区域中の前記データの一部を、前記ディスプレイにおける前記バーとは異なる所定域内でカーソルを動かす入力に応じて、スクロールさせる手段を備えている
ことを特徴とするデータ処理システム。
【請求項２】
ディスプレイに結合された中央演算処理装置（ＣＰＵ）を有するコンピュータ・システムにあって、データを表示する方法において：
前記データの一部を前記ディスプレイ上のウインドウのある区域に表示するステップを備え；
スライダが設けられているバーに沿って複数の文字を表示するステップを備え；
前記バーに沿う前記複数の文字の位置を、ユーザ入力に応じて、前記バーの長さを変えることなしにずらせるステップを備え；
前記バー上の前記複数の文字の１つに選択的に前記スライダを位置させるというユーザ入力に応じて、前記データの対応する部分を前記区域に表示するステップを備える
ことを特徴とするデータを表示する方法。
【請求項３】
データを表示するデータ処理装置において、
ディスプレイを備え；
複数のデータ項目を格納するメモリを備え；
このメモリおよび前記ディスプレイに結合された処理装置を備え、この処理装置によって、複数の文字の一部が、前記ディスプレイにおいてスライダが設けられているバーに沿って、表示されるとともに、前記データ項目の一部が前記ディスプレイ上のある区域に表示され、データ項目の前記一部は、前記バーに沿った複数の文字に対する前記スライダの位置によって決定されるものであり、前記文字の１つの入力に応じて、前記処理装置によって前記スライダが前記バーにおいて前記文字の前記１つの上に表示される
ことを特徴とするデータ処理装置。
【請求項４】
ディスプレイに結合された中央演算処理装置（ＣＰＵ）を有するデータ処理システムにおいて、データを表示する方法において：
複数の文字の第１部分を、前記ディスプレイにおいてスライダが設けられているバーに沿った位置に表示するステップを備え；
ユーザ入力に応じて、複数の文字の第２部分を前記バーに沿った前記位置に、前記バーの長さを変更することなしに表示するステップを備え；
前記データの一部をウインドウのある区域に表示するステップを備え；
前記バー上の複数の文字の１つに選択的に前記スライダを位置させるというユーザ入力に応じて、前記データの対応する部分を前記区域に表示するステップを備える
ことを特徴とするデータを表示する方法。
【発明の詳細な説明】
【技術分野】
【０００１】
本発明は、グラフィック情報を表示するための装置および方法に関し、より具体的には本発明は、ディスプレイ上で重なり合うデータ・ウィンドウを表示し操作するためのコンピュータ制御の表示システムに関する。
【背景技術】
【０００２】
この１０年間にわたり、人間とコンピュータ・システムとの対話を容易にするために様々なグラフィカル・ユーザ・インタフェースが開発された。多くのユーザ・インタフェースは、人間側の親しみやすさを最大限にし、ユーザとコンピュータとの間で情報を伝達する方法として、インタフェースの設計にメタファを使用している。デスク・トップ、ノートブックなどの見慣れたメタファを使用することにより、インタフェースは既存の人間の精神構造を利用し、特定のコンピュータ・システムの要件を理解するためにユーザがメタファによる類推を行えるようにする。見慣れたメタファ周辺で設計すると人間の学習時間が短縮されることは周知のことである。たとえば、Ｐａｔｒｉｃｋ  Ｃｈａｎによる“Ｌｅａｒｎｉｎｇ  Ｃｏｎｓｉｄｅｒａｔｉｏｎｓ  ｉｎ  Ｕｓｅｒ  Ｉｎｔｅｒｆａｃｅ  Ｄｅｓｉｇｎ：  Ｔｈｅ  Ｒｏｏｍ  Ｍｏｄｅｌ”（Ｒｅｐｏｒｔ  ＣＳ−８４−１６、Ｕｎｉｖｅｒｓｉｔｙ  ｏｆ  Ｗａｔｅｒｌｏｏ  Ｃｏｍｐｕｔｅｒ  Ｓｃｉｅｎｃｅ  Ｄｅｐａｒｔｍｅｎｔ、カナダ・オンタリオ州、１９８４年７月）ならびに同書に引用された参考文献を参照されたい。
【０００３】
現行世代のシステムでは、テキストとグラフィックの組合せが配置されたディスプレイ上で複数の「ウィンドウ」を使用する、いわゆる「オブジェクト指向」表示システムをコンピュータ・システムに取り入れることが一般的である。デスク・トップのメタファを使用すると、ウィンドウは、ファイル・フォルダ、ルーズ・リーフ・バインダ、単純な四角形などの様々な物体の形態をとることができ、複数のウィンドウが互いに重なり合い、「一番上」のウィンドウが現行作業ファイルを構成する可能性がある。ウィンドウベースのグラフィカル・ユーザ・インタフェース（ＧＵＩ）の状況内で操作するユーザは、オフィス内で一般的に見られる対象を操作し、したがって、コンピュータと対話するための見慣れた環境を非専門ユーザに提供する。
【０００４】
典型的なウィンドウベースのＧＵＩシステムでは、視覚的に別個の表示オブジェクトが表示画面上に用意され、通常、「アイコン」と呼ばれる。それぞれのアイコンは、デスクトップ上の１つの機能またはオブジェクトを表す。多くのシステムでは、マウスまたは他のポインタ制御装置の動きに応答して選択的に移動可能なカーソルも表示される。このカーソルは、ユーザが画面上で選択可能な表示オブジェクトの上を動かすことができる。ユーザは、ウィンドウから情報を削除したり、１つのウィンドウから別のウィンドウへデータを移動したり、実際のファイルまたは他の物理的物体を操作する場合と同様にウィンドウ上で一般的な操作を行ったりすることができる。メニュー・バーに沿って現れる特定のコマンド・オプションおよびそのコマンド・オプションに対応するサブコマンド項目を選択するための技法を使用して、様々な「プルダウン」メニューも表示することができる（米国再発行特許Ｒｅ３２６３２号を参照）。
【０００５】
先行技術のＧＵＩ設計に関連する様々な態様、方法、および装置を記載した、米国特許第３２６３２号、米国特許第４９３１７８３号、米国特許第５０７２４１２号、米国特許第５１４８１５４号、およびそれらに引用されている参考文献を参照されたい。
【０００６】
オブジェクト指向表示システムは、新規ユーザがコンピュータ・システムを理解して操作する際の学習順応期間を短縮したが、いまだにユーザは実際にコンピュータ・システムを操作する間に支援を必要とする。その結果、ウィンドウベースのＧＵＩを使用して様々な画面上ヘルプ・システムが開発された。システムによっては、特定のアプリケーション・プログラムで操作する間にユーザが検討できるように、画面上マニュアルを表示するヘルプ・キーを提供するものもある。Ａｐｐｌｅ社のＭａｃｉｎｔｏｓｈ（登録商標）のＧＵＩのＳｙｓｔｅｍ  ７．０の一部を形成するバルーン・ヘルプ・システムのような他のヘルプ・ベース・システムは、画面のデスクトップ上の様々なアイコン、ラベル、ウィンドウ、その他のオブジェクトの上にカーソルを置くことによって、コンテキストに敏感なヘルプ情報を提供する。（Ａｐｐｌｅ  Ｃｏｍｐｕｔｅｒ，  Ｉｎｃ．発行のＭａｃｉｎｔｏｓｈ（登録商標）ユーザ・マニュアルを参照されたい。）
【０００７】
ＧＵＩの場合のように直観的なヘルプ・インタフェース設計は、一般に、ユーザがメタファに関する共通知識を応用してコンピュータ・システムを操作できるようにするために、実世界のメタファに依存している。しかし、ユーザ・インタフェース向けの「直観的」設計を構成するものを定義することは難しく、どのメタファを使用したとしても、すべてのエンド・ユーザにとって完全に明白なインタフェースを設計することは難しい。コンテキストに敏感で、ＧＵＩのメタファとともに機能するようなヘルプ・システムを提供して、ユーザを支援することが望ましい。
【０００８】
後述するように、本発明は、ユーザの順応学習期間を軽減する属性を有する画面上ヘルプ・システムを提供する。本発明のヘルプ・システムは、ユーザが印刷されたマニュアルを読まなければならないのとは対照的な画面上ヘルプと、ユーザが作業するアプリケーションのコンテキスト感度の恩恵を完全に提供する。ディスプレイ上の他のウィンドウからヘルプ・ウィンドウを区別するウィンドウ機能が提供され、所望の機能を達成できるようにヘルプの使用によりユーザに指示する追加機能が追加されている。ウィンドウベースのＧＵＩの画面上ヘルプ・システムに関して本発明を記述するが、本発明の特徴および属性が様々なＧＵＩ設計ならびにソフトウェア・アプリケーションで応用できることは、以下の説明から明らかになるはずである。したがって、本発明は以下の説明によって限定されず、様々なメーカが提供するコンピュータ・システムならびに様々なメタファを使用するユーザ・インタフェース設計に本発明を適用できることは、当業者には理解されるだろう。
【発明の概要】
【０００９】
本発明は、ウィンドウベースのコンピュータ表示システムで使用するためのヘルプ・インタフェースのための装置および方法を提供する。この表示システムは、キーボード、ディジタル・パッド、マウス、トラック・ボールなどの入力装置に適切な入出力回路を介して結合された少なくとも１つの中央演算処理装置（ＣＰＵ）を含む。このＣＰＵは、プログラムおよびデータを格納するためのハード・ディスク・ドライブに結合され、ＣＰＵが他の様々なシステム資源および装置とやりとりする場合に使用するネットワークにも結合することができる。さらにＣＰＵは、本発明が表示されるＣＲＴまたは液晶表示装置などの表示装置に結合される。本発明のユーザ・インタフェースは、重なり合う複数のウィンドウを有するオブジェクト指向のＧＵＩを含む。本発明は、ユーザによる選択のためのトピック、索引、検索の各ボタン機能を有するアクセス・ウィンドウを含む。トピック、索引、または検索の各機能の使用により、ヘルプ照会が定義される。
【００１０】
索引ボタンが選択された場合、現在のウィンドウのアクセス・ウィンドウは、アクセス・ウィンドウの定義域の水平方向に広がる英字スクロール・バーを表示する。英字スクロール・バーの長さに沿って、複数の英数字、記号文字、またはその他の文字（まとめて「文字」という）が表示される。英字スクロール・バー上に表示される文字の上に選択的に位置決め可能なスライダが提供される。英字スクロール・バー上の文字の上にスライダを置くと、ＣＰＵは選択された文字に対応するデータを表示する。本実施例では、上にスライダが置かれた英字からＡＢＣ順に始まる定義域に諸項目が表示される。このスライダは、ユーザがスライダの少なくとも一部の上にカーソルを位置決めし、スイッチを押してＣＰＵに通知することによって、所望の文字の上に位置決めすることができる。スイッチを押し続ける間に、ユーザは、スライダがほぼ所望の文字の上に配置されるまでカーソルとスライダが英字スクロール・バーに沿って移動するようにカーソル制御装置を操作し、次にユーザはスイッチを解放し、それにより、選択が行われたことをＣＰＵに通知する。
【００１１】
あるいは、ユーザが英字スクロール・バー上の所望の文字の上にカーソルを置き、カーソル制御装置に関連するスイッチを瞬間的にクリックし、それにより、選択をＣＰＵに通知することによって、選択を行うことができる。スイッチの瞬間的な押下げと解放をＣＰＵが感知すると、ＣＰＵは、選択された文字の上に表示されるようにスライダを移動させる。次にＣＰＵは、選択された文字から始まるデータ項目を定義域内に表示する。また、ユーザがＣＰＵに結合されたキーボード上の所望の文字キーを押し下げることによっても、選択を行うことができる。キーボード入力を感知すると、ＣＰＵは、選択された文字の上にスライダを表示し、諸項目の英字順リストを表示する。さらに、スライダは、アクセス・ウィンドウの定義域内に配置された垂直スクロール・バーの上にカーソルを置き、ＣＰＵに結合されたスイッチを押すことにより、移動させることができる。この場合、ＣＰＵは、定義域内の項目リストの先頭にある現行項目を表す文字の上にスライダを表示する。
【００１２】
英字スクロール・バーの長さに沿った空間が、たとえば、英字またはその他の事前定義文字セット内のすべての文字を表示するには不十分な場合、ＣＰＵによって英字スクロール・バーに沿って追加の文字を表示することができる。本発明の教示によれば、英字スクロール・バーに沿って追加の文字を表示するため、ユーザはスライダの上にカーソルを置き、スイッチを押し、英字スクロール・バーの末端までカーソルを移動させる。スイッチの押下げとスクロール・バーの末端までのスライダの移動を感知すると、ＣＰＵは、スクロール・バーの内容を末端とは反対方向にスクロールし、追加の文字を英字スクロール・バー上に表示する。ユーザ側から見ると、追加文字の表示によって英字スクロール・バーが末端とは反対方向にスクロールされ、それにより、追加文字が現れるように見える。
【００１３】
さらにユーザを支援するため、本発明は、プレゼンテーション・ウィンドウ内に配置された情報に関連する諸機能をディスプレイ上で識別するためにＣＰＵによって生成された指示マークを含む。この指示マークは、プレゼンテーション・ウィンドウの表示とほぼ同時に表示され、たとえば、矢印、円、Ｘなどの幾何学的オブジェクトに近いもののように見える。
【００１４】
本発明の教示によれば、アクセス・ウィンドウとプレゼンテーション・ウィンドウの両ウィンドウは、ユーザが現在実行しているアプリケーションとは無関係に表示される他のすべての階層化ウィンドウの上に「浮遊」する。アクセス・ウィンドウとプレゼンテーション・ウィンドウの両ウィンドウは、活動状態のままになり、表示されているアクセス・ウィンドウまたはプレゼンテーション・ウィンドウのすぐ下の一番上のウィンドウと同様にユーザが操作することができる。一番上のアプリケーション・ウィンドウより下の他の階層化ウィンドウは非活動状態になり、それを操作するには、アクセス・ウィンドウまたはプレゼンテーション・ウィンドウのすぐ下のスタックの「一番上」に持ってこなければならない。さらに、アクセス・ウィンドウとプレゼンテーション・ウィンドウの両ウィンドウは、ＣＰＵによって実行されて表示されている他のアプリケーションとは無関係に表示画面上の任意の位置に選択的に位置決めすることができる。本発明のアクセス・ウィンドウとプレゼンテーション・ウィンドウは、ユーザがそれを消去するまで引き続き表示される。
【図面の簡単な説明】
【００１５】
【図１】本発明の教示を取り入れた１つの可能なコンピュータ表示システムを示す機能ブロック図である。
【図２】本発明の教示を使用したウィンドウ表示システムを示す典型的な表示画面である。
【図３】本発明のアクセス・ウィンドウを示す図である。
【図４】トピック画面が選択された後の図３に示すアクセス・ウィンドウを示す図である。
【図５】「ｆｉｌｅｓ  ａｎｄ  ｄｉｓｋｓ」用のトピック域が選択された後の図４のアクセス・ウィンドウを示す図である。
【図６】図５のアクセス・ウィンドウを示す図であり、「Ｈｏｗ  ｄｏ  Ｉ  ｆｉｎｄ  ａ  ｆｉｌｅ  ｏｒ  ｆｏｌｄｅｒ？」という選択項目が選択されたことを示す。
【図７】図６に示す選択に続いて表示される「Ｈｏｗ  ｄｏ  Ｉ  ｆｉｎｄ  ａ  ｆｉｌｅ  ｏｒ  ｆｏｌｄｅｒ？」というタイトルのプレゼンテーション・ウィンドウを示す図である。
【図８】索引画面の選択項目と本発明の英字スライダを示す、本発明のアクセス・ウィンドウを示す図である。
【図９】アクセス・ウィンドウ内の英字索引ウィンドウの英字「Ｆ」の内容の上に置かれた本発明の英字スライダを示す図である。
【図１０】英字ウィンドウで「ｆｉｌｅｓ」項目が選択された後の図９のアクセス・ウィンドウを示す図である。
【図１１】「Ｈｏｗ  ｄｏ  Ｉ  ｆｉｎｄ  ａ  ｆｉｌｅ  ｏｒ  ｆｏｌｄｅｒ？」という選択項目が選択された後の図１０のウィンドウを示す図である。
【図１２】「Ｌｏｏｋ  ｆｏｒ」画面が選択された本発明のアクセス・ウィンドウを示す図である。
【図１３】「Ｆｉｎｄ」という単語が入力され検索された後の図１２のアクセス画面を示す図である。
【図１４】「Ｈｏｗ  ｄｏ  Ｉ  ｆｉｎｄ  ａ  ｆｉｌｅ  ｏｒ  ｆｏｌｄｅｒ？」という選択項目が選択されているときの図１３のアクセス画面を示す図である。
【図１５】図１４に示す選択に続いて表示される「Ｈｏｗ  ｄｏ  Ｉ  ｆｉｎｄ  ａ  ｆｉｌｅ  ｏｒ  ｆｏｌｄｅｒ？」というタイトルのプレゼンテーション・ウィンドウを示す図である。
【図１６】索引が選択された後の本発明のアクセス・ウィンドウと、英字スライダを示す図である。
【図１７】英字「Ｆ」が選択された後の図１６のウィンドウを示す図である。
【図１８】本発明の選択技法を示す流れ図である。
【図１９】本発明の代替選択技法を示す流れ図である。
【図２０】本発明の代替選択技法を示す流れ図である。
【図２１】本発明の代替選択技法を示す流れ図である。
【図２２】本発明の代替選択技法を示す流れ図である。
【図２３】本発明の英字スライダが英字「Ｆ」から英字「Ｚ」に移動したときの英字スライダの位置と英字スクロール・バーとを示す図である。
【図２４】本発明の英字スクロール・バーのスクロール機能を示す流れ図である。
【図２５】英字スライダが英字「Ｚ」から英字「Ｐ」に移動した後の英字スライダの位置を示す図である。
【図２６】スライダが英字「Ｐ」から英字「Ｚ」に移動したときのスクロール・バーの位置と、「ｄｉｓｋｓ」という単語の選択を示す図である。
【図２７】「ＧＦＸ  Ｓｏｕｎｄ  ＆  Ｓｃａｎ」というタイトルのウィンドウの上に配置された本発明のプレゼンテーション・ウィンドウを示す図である。
【図２８】「Ｃｏｎｔｒｏｌ  Ｐａｎｅｌｓ」ウィンドウが活動状態の場合の本発明のディスプレイ内の他の階層化ウィンドウ上に配置されたプレゼンテーション・ウィンドウを示す図である。
【図２９】「Ｇｅｎｅｒａｌ  Ｃｏｎｔｒｏｌｓ」というタイトルのウィンドウが活動状態の場合の３つのウィンドウ上に配置された本発明のプレゼンテーション・ウィンドウを示す図である。
【図３０】「ＧＦＸ  Ｓｏｕｎｄ  ＆  Ｓｃａｎ」というタイトルの活動ウィンドウ上に配置された本発明のプレゼンテーション・ウィンドウを示す図である。
【図３１】本発明のプレゼンテーション・ウィンドウの階層化を示す図である。同図では、「ＨＵＨ？」というボタンが選択され、別のウィンドウが開いているが、「ＧＦＸ  Ｓｏｕｎｄ  ＆  Ｓｃａｎ」ウィンドウはまだ活動状態である。
【図３２】「Ｆｉｌｅ」というメニュー選択項目を囲む指示マークとともに本発明のプレゼンテーション・ウィンドウを示す図である。
【図３３】指示マークがデスクトップ・パターンを囲んでいる「Ｇｅｎｅｒａｌ  Ｃｏｎｔｒｏｌｓ」というタイトルの活動ウィンドウ上に配置された本発明のプレゼンテーション・ウィンドウを示す図である。
【図３４】本発明のプレゼンテーション・ウィンドウと、「Ｆｉｎｄ」というタイトルのウィンドウ内の「Ｍｏｒｅ  Ｃｈｏｉｃｅｓ」を囲む指示マークを示す図である。
【図３５】ユーザによるデータ挿入または選択を必要とする区域を識別するための本発明の指示マークの使用法を示す図である。
【図３６】「Ｇｅｎｅｒａｌ  Ｃｏｎｔｒｏｌｓ」ウィンドウの一部に下線を付ける指示マークが挿入された、本発明のプレゼンテーション・ウィンドウを示す図である。
【図３７】「Ｋｅｙｂｏａｒｄ」というタイトルのウィンドウの一部を識別するために湾曲矢印指示マークが使用されている、本発明のプレゼンテーション・ウィンドウを示す追加図である。
【図３８】プレゼンテーション・ウィンドウで識別された所望の機能を実施するためにユーザが必要とする選択項目を識別するために直線矢印指示マークが使用されている、本発明の指示マークを示す追加図である。
【発明を実施するための形態】
【００１６】
<<表記法および述語>>
以下の詳細な説明は、主に、コンピュータ・メモリ内のデータ・ビットの操作を表す表示イメージ、アルゴリズム、および記号表現に関して示す。このようなアルゴリズムの説明および表現は、データ処理技術分野の熟練者が他の当業者に対して最も効果的に自身の研究内容を伝達するのに使用する手段である。
【００１７】
ここでは、また一般に、アルゴリズムとは、所望の結果に至る筋の通った一連の諸ステップであると考えられている。これらのステップは、物理量の物理的な操作を要するものである。必ずではないが通常、このような物理量は、格納、転送、結合、比較、その他の操作が可能な電気信号または磁気信号の形態をとる。これらの信号をビット、値、要素、記号、文字、イメージ、項、数などと呼ぶと、主に一般的用法という理由から便利であると分かる場合がある。ただし、これらの用語および同様の用語は適切な物理量と関連付けるべきであり、これらの量に適用される便利なラベルにすぎないことを銘記する必要がある。
【００１８】
本件では、操作とは、人間のオペレータとともに実行されるマシン操作である。本発明の操作を実行するための有用なマシンとしては、汎用ディジタル・コンピュータまたはその他の同様の装置がある。いずれの場合でも、コンピュータを操作する方法と計算そのものの方法との区別を銘記する必要がある。本発明は、コンピュータを操作し、電気信号またはその他の物理信号を処理して他の所望の物理信号を生成するための諸ステップからなる方法に関するものである。
【００１９】
また、本発明は、これらの操作を実行するための装置に関するものでもある。この装置は、具体的には、必要な目的に応じて構築するか、またはコンピュータに格納されたコンピュータ・プログラムによって選択的に活動化または再構成された汎用コンピュータを含むことができる。ここに提示するアルゴリズムは、本質的に特定のコンピュータまたはその他の装置に関するものではない。特に、ここに提示する教示によるプログラムで様々な汎用マシンを使用することができ、あるいは必要な諸ステップを実行するためにより専門化した装置を構築する方が便利であることが分かる場合もある。このような様々なマシンに必要な構造は、以下の説明から明らかになるだろう。本発明の諸機能を実行可能なマシンとしては、本出願人であるＡｐｐｌｅ  Ｃｏｍｐｕｔｅｒ，  Ｉｎｃ．ならびに他のコンピュータ・システム・メーカによって製造されたものがある。
【００２０】
<<発明の好ましい実施の形態の詳細な説明>>
本明細書は、同日付けで出願され、本出願人であるＡｐｐｌｅ  Ｃｏｍｐｕｔｅｒ，  Ｉｎｃ．に譲渡された以下の関連特許出願に関連し、参照により以下の関連特許出願を完全に組み込むものである。
１９９３年１月２７日出願の“Ｍｅｔｈｏｄ  Ａｎｄ  Ａｐｐａｒａｔｕｓ  Ｆｏｒ  Ｐｒｅｓｅｎｔｉｎｇ  Ｉｎｆｏｒｍａｔｉｏｎ  Ｉｎ  Ａ  Ｄｉｓｐｌａｙ  Ｕｓｉｎｇ  Ｆｌｏａｔｉｎｇ  Ｗｉｎｄｏｗｓ（登録商標）”という名称の米国特許出願第０８／０１００６４号、１９９３年１月２７日出願の“Ｍｅｔｈｏｄ  Ａｎｄ  Ａｐｐａｒａｔｕｓ  Ｆｏｒ  Ｄｉｓｐｌａｙｉｎｇ  Ａｎｄ  Ｓｃｒｏｌｌｉｎｇ  Ｄａｔａ  Ｉｎ  Ａ  Ｗｉｎｄｏｗ−Ｂａｓｅｄ  Ｇｒａｐｈｉｃ  Ｕｓｅｒ  Ｉｎｔｅｒｆａｃｅ”という名称の米国特許出願第０８／０１００６１号、“Ｍｅｔｈｏｄ  Ａｎｄ  Ａｐｐａｒａｔｕｓ  Ｆｏｒ  Ｐｒｏｖｉｄｉｎｇ  Ｖｉｓｕａｌ  Ｃｕｅｓ  Ｉｎ  Ａ  Ｇｒａｐｈｉｃ  Ｕｓｅｒ  Ｉｎｔｅｒｆａｃｅ”という名称の米国特許出願第０８／０１００６２号、１９９３年１月２７日出願の“Ｍｅｔｈｏｄ  Ａｎｄ  Ａｐｐａｒａｔｕｓ  Ｆｏｒ  Ｐｒｏｖｉｄｉｎｇ  Ａ  Ｈｅｌｐ  Ｂａｓｅｄ  Ｗｉｎｄｏｗ  Ｓｙｓｔｅｍ  Ｕｓｉｎｇ  Ｍｕｌｔｉｐｌｅ  Ａｃｃｅｓｓ  Ｍｅｔｈｏｄｓ”という名称の米国特許出願第０８／０１００６３号。
【００２１】
以下の詳細説明は複数の項に分かれている。最初の項では、本発明の教示によりコンピュータ・グラフィックを生成するための汎用システム配置について説明する。以降の項では、本発明のヘルプ・アクセス方法とプレゼンテーション・ウィンドウ、英字スライダ選択方法、フローティング・ウィンドウ、コンピュータ生成指示マークなどの本発明の諸態様ならびに本発明のユーザ・インタフェースの全体構造および操作について扱う。
【００２２】
また、以下の説明では、本発明を完全に理解してもらうために、データ処理装置を表す機能ブロック、デスクトップおよびウィンドウ・メタファなどのメタファ、ウィンドウ構成および配置などについて、具体的な詳細例を数多く示す。ただし、具体的な詳細例がなくても本発明を実施できることは当業者には明らかになるだろう。その他の場合には、不必要に本発明を不明瞭にしないために、周知の回路や構造については詳しく説明しない。
【００２３】
<<汎用システム構成>>
本発明のコンピュータ制御の表示システムは、図１に示すようなコンピュータ・システムの一部である。このコンピュータ制御の表示システムは、ＣＲＴモニタまたは液晶表示装置（ＬＣＤ）などの表示手段４０を含み、米国特許第３２６３２号に示すタイプのマウス、トラック・ボール、ジョイ・スティック、表示手段４０の表示画面６８上でカーソル４４を選択的に位置決めするためのその他の装置などのカーソル制御手段４２をさらに含む。一般に、カーソル制御手段４２は、第１の位置と第２の位置とを有するスイッチ４６などの信号生成手段を含む。たとえば、米国特許第３２６３２号に示し記載されているマウスは、コンピュータ・システムのユーザが所与のコマンドを実行するようコンピュータに指示する信号を生成するために使用するスイッチを含む。図示の通り、カーソル制御手段４２（マウス、トラック・ボール、ジョイ・スティック、グラフィック・タブレット、キーボード入力など、すべてのタイプの適用可能なカーソル制御装置は、以降、まとめて「マウス４２」と呼ぶ）はコンピュータ・システム４８に結合されている。
【００２４】
コンピュータ４８は、３つの主要構成要素を具備する。第１の構成要素は、コンピュータ４８の他の各部との間で適切な構造の形式で情報をやりとりするために使用する入出力回路５０である。また、コンピュータ４８は、入出力回路５０およびメモリ５５に結合された中央演算処理装置（ＣＰＵ）５２を含む。これらの要素は、多くの汎用コンピュータで一般的に見られるもので、事実、コンピュータ４８は、グラフィック表示を生成可能な広いカテゴリのデータ処理装置を代表することを意図するものである。
【００２５】
図１には、当技術分野で周知のように、コンピュータ４８にデータおよびコマンドを入力するためのキーボード５６も示されている。大容量磁気メモリ・ディスク６０は、コンピュータ４８に追加の記憶容量を提供するために入出力回路５０に結合されて示されている。また、入出力回路５０には、記憶容量を追加するためにＣＤ−ＲＯＭ６２がさらに結合されている。コンピュータ４８には、磁気テープ・ドライブなどのデータ格納用の追加装置ならびに他のデータ処理システムに結合されるネットワークも結合可能であることに留意されたい。
【００２６】
図１に示すように、表示手段４０は、ウィンドウ７０が表示される表示画面６８を含む。当技術分野で周知のように、ウィンドウ７０は、四角形またはその他の周知の形状を取ることができ、ウィンドウの長さに渡って水平に配置されたメニュー・バー７２を含むことができる。周知の通り、マウス４２の動きは、コンピュータ４８によって表示画面７０上のカーソル４４の動きに変換することができる。本発明の教示により使用可能なその他のコンピュータ・システムに関する追加説明については、一般的にオブジェクト指向表示システムについて、特にデスクトップ・メタファ・ウィンドウベース・システムについて記述している、背景技術の項で引用した参考文献を参照されたい。図１に示すシステムは、ＧＵＩ表示を提供可能な汎用データ処理システムを表すためのものである。図１に示すウィンドウ表示７０およびウィンドウ・ベースの表示システムは周知のもの（たとえば、Ａｐｐｌｅ  Ｃｏｍｐｕｔｅｒ，  Ｉｎｃ．が販売するＭａｃｉｎｔｏｓｈ（登録商標）シリーズのコンピュータ）であり、このため、ここでは詳細説明は不用である。操作に際しては、既知の通り、メモリ５５に格納され、ＣＰＵ５２によって実行されるソフトウェアを使用して、本発明のウィンドウ・ベース・ユーザ・インタフェースが生成され表示される。
【００２７】
<<アクセス・ウィンドウとプレゼンテーション・ウィンドウ>>
次に図２を参照すると、表示手段４０の表示画面６８がさらに詳しく示されている。表示画面６８内には、Ａｐｐｌｅ  Ｃｏｍｐｕｔｅｒ，  Ｉｎｃ．が製造し販売するコンピュータで使用される既知のＧＵＩが示されている。表示画面６８の水平方向に広がるメニュー・バー１００が設けられている。図２に示すように、通常、メニュー・バー１００は、Ａｐｐｌｅマーク１０３の形状のデスクトップ・アイコン、「Ｆｉｌｅ」、「Ｅｄｉｔ」、「Ｖｉｅｗ」、「Ｌａｂｅｌ」、「Ｓｐｅｃｉａｌ」などの複数のコマンド・オプションを含む。米国再発行特許第３２，６３２号および米国特許第４，９３１，７８３号の教示により、一般に「プッシュ・ドラッグ・リリース」法と呼ばれる方法を使用して、プルダウン・メニューを表示し選択することができる。この方法により、カーソル４４は、所望のコマンド・オプションの上に置かれ、その後、マウス４２のスイッチ４６が押される。スイッチ４６の押下げにより、プルダウン・メニュー（図２では、サンプル・プルダウン・メニューがメニュー１０４として示されている）を生成するようＣＰＵ５２に通知する。マウス４２を移動させ、スイッチ４６を押し下げた状態に維持しながら、ユーザはカーソル４４を所望のサブコマンド項目（図２の例では「Ｈｅｌｐ」コマンド）の上に置き、スイッチ４６を解放する。次にコンピュータ・システム４８は、選択されたサブコマンド項目を実行する。後述するように、メニュー１０４のサブコマンド項目「Ｈｅｌｐ」を選択すると、ＣＰＵはここに開示するヘルプ・システムを実行する。また、本明細書と以下の説明では、カーソル４４をオブジェクト、アイコン、リスト、質問などの「上に」置くという場合、ＣＰＵ５２にその選択を識別させるのに十分な程度、オブジェクト、アイコン、リスト、質問などの少なくとも一部の上にカーソル４４を置くことを意味するものとする。
【００２８】
図２に示すデスクトップ内には、「Ｍａｉｌ」というタイトルのヘッダ１１０を含むウィンドウ１０８が示されている。図示の例では、ウィンドウ１０８は、ウィンドウ１０８内に配置された様々な文書、メッセージなどをリスト表示する。ハード・ディスクを表す「Ｊｅｆｆ’ｓ  ＨＤ」というタイトルのアイコン１２０、ＣＰＵ５２がアクセスするフロッピー（登録商標）・ディスクを表すアイコン１２２、ごみ箱アイコン１２６などのその他のアイコンも示される。
【００２９】
この好ましい実施の形態では、本発明のヘルプ・システムは、プルダウン・メニュー１０４内に配置された「Ｈｅｌｐ」として識別されたサブコマンド項目をユーザが選択することによって開始される。「Ｈｅｌｐ」を選択するには、カーソル４４をバルーン・ヘルプ・メニュー・アイコン１１２の上に置き、スイッチ４６を押す。ＣＰＵ５２がメニュー１０４を生成して表示し、次にユーザがカーソル４４を「Ｈｅｌｐ」サブコマンドの上に置き、スイッチ４６を解放する。あるいは、ユーザは、キーボード５６を使用してキーボード上の所定の対応キーを入力することによって「Ｈｅｌｐ」機能を選択することもできる。
【００３０】
「Ｈｅｌｐ」機能を選択すると、コンピュータ４８は、図３に示すヘルプ画面アクセス・ウィンドウ１３０を生成して表示する。このアクセス・ウィンドウ１３０は、図示の通り、ロゴ１３２とユーザ命令を含む。この好ましい実施の形態では、アクセス・ウィンドウ１３０内に示される命令と、ロゴ１３２と、ウィンドウそのものは、メモリ５５内あるいはディスク６０またはＣＤ−ＲＯＭ６２上に格納されたヘルプ・データベースの一部である。ヘルプ・データベースへのアクセスは、後述するように、トピック・ボタン（Ｔｏｐｉｃｓ）１３５、索引ボタン（Ｉｎｄｅｘ）１３８、検索ボタン（Ｌｏｏｋ  Ｆｏｒ）１４０によりユーザに提供される。また、図３に示すように、アクセス・ウィンドウ１３０は、ＣＰＵ５２が命令、テキスト、またはコマンド・オプションを表示する作業域１４５を含む。この作業域１４５は、作業域１４５内に表示されるデータ全体をスクロールするための垂直スライダ１４８を含む。アクセス・ウィンドウ１３０の追加の機能については、以下の説明から明らかになるだろう。
【００３１】
次に図４を参照すると、アクセス・ウィンドウ１３０用のトピック・アクセス方法の選択項目が示されている。図示の通り、「トピック・」ボタン機能により本発明のヘルプ・システムに入るため、ユーザはカーソル４４をトピック・と表示されたボタン（１３５）の上に置き、マウス４２のスイッチ４６を瞬間的に活動化（「クリック」）する。この実施の形態では、カーソル４４がボタン１３５を定義する四角形の中にあり、マウス４２のボタン４６が押されている間、ボタン１３５のイメージそのものが押されているかのように、そのイメージが反転しているように見える。トピック・ボタン１３５の上でマウス４２のスイッチ４６をクリックすると、ＣＰＵ５２は、図４に示すように作業域１５０内にトピックのリストを含むアクセス・ウィンドウ１３０を生成して表示する。
【００３２】
図示の通り、この場合ユーザは、複数のトピックからユーザがヘルプを必要とするトピックを選択することができる。たとえば、図５でユーザが「Ｆｉｌｅｓ  ａｎｄ  Ｄｉｓｋｓ」というトピック１６０の上にカーソル４４を置いて、ボタン４６をクリックすると、ＣＰＵ５２はそのトピックの選択を感知し、次に作業域１４５内に文のリストを生成して表示する。この実施の形態で作業域１４５内に表示されるリストは、質問を含む可能性のある文をグループ単位で含んでいる。見出しは、特定のタイプのすべての文または質問の先頭にくる１組の単語（図５の例では「Ｈｏｗ  ｄｏ  Ｉ」）である。本文は、その質問または文の残りの部分（たとえば、図５では「Ｃｈａｎｇｅ  ｔｈｅ  ｎａｍｅ  ｏｆ  ａｎ  ｉｔｅｍ」）である。この好ましい実施の形態では、ＣＰＵ５２が見出しを太字で表示する。質問または文の本文は、図示の通り、見出しの下にインデントして表示される。本発明の階層設計では、リスト内の各文から重複する見出しを除去する間、その文の形式を保存する。その結果、文のリストのテキストが減少し、より長い文または質問でも作業域１４５により容易に納まるようになる。また、ユーザは、スクロール・バー１４８を使用して、使用可能な文または質問のタイプを確認するために容易に見出しを走査することができる。
【００３３】
次に図６を参照すると、図示の通り、「Ｆｉｌｅｓ  ａｎｄ  Ｄｉｓｋｓ」というトピック域１６０により、図示の質問群が得られる。図６の例では、カーソル４４は、ユーザによるマウス４２の適切な動きにより、「Ｆｉｎｄ  ａ  ｆｉｌｅ  ｏｒ  ｆｏｌｄｅｒ？」という質問の上に置かれ、スイッチ４６が瞬間的にクリックされる。「Ｈｏｗ  ｄｏ  Ｉ  ｆｉｎｄ  ａ  ｆｉｌｅ  ｏｒ  ｆｏｌｄｅｒ？」という質問の選択と、カーソル４４を「ＯＫ」ボタンの上に置いてもう一度スイッチ４６を押すという操作を結合すると、ＣＰＵ５２は図７に示すプレゼンテーション・ウィンドウ１６５を生成して表示する。プレゼンテーション・ウィンドウ１６５内に提供されるデータおよびその他の情報は、（必要であれば）ユーザからの追加情報を要求し、所望の機能に関する手引きをユーザに示すものである。以下により詳しく説明するように、アクセス・ウィンドウ１３０とプレゼンテーション・ウィンドウ１６５の両ウィンドウは、表示されている現在活動状態のウィンドウを妨げたり変更したりせずに、表示画面６８上に表示される他のウィンドウの上に「浮遊」する。
【００３４】
次に図８を参照すると、索引ボタン機能１３８の選択によってヘルプ情報を得ることもできる。カーソル４４を索引ボタン１３８の上に置き、マウス４２のスイッチ４６を瞬間的にクリックすると、索引機能１３８の選択がＣＰＵに通知される。図８に示すように、索引ボタン１３８を選択すると、索引１７０が生成され表示される。この索引により、ユーザは、特定の用語および句（まとめて「索引項目」と呼ぶ）に基づく関連質問を見つけることができる。索引画面１７０は複数の項目を含み、索引ボタン１３８は、その機能が活動状態であることを示すために反転したままになる。索引画面１７０は英字スクロール・バー１７６を含む。索引画面１７０には多くの項目が含まれているので、英字スクロール・バー１７６を使用すると、ユーザは、デスク上のローラデックスと同様に、特定の英字まで迅速にスクロールすることができる。英字スクロール・バー１７６の操作については、以下に詳述する。
【００３５】
ユーザは、所望の英字の一部の上にカーソル４４を置き（図９を参照）、マウス４２のスイッチ４６を瞬間的にクリックする。英字選択を感知すると、ＣＰＵ５２は、選択された英字から始まる最も近い項目とそれ以降のすべての項目を表示する。図９の例では、ユーザは英字「Ｆ」を選択している。この選択を感知すると、ＣＰＵ５２は、英字「Ｆ」から始まる索引項目を表示する。英字「Ｆ」から始まるすべての項目を表示するだけの表示空間がない場合には、ユーザは、スクロール・バー１７８を使用して索引画面内に配置されたデータを垂直方向にスクロールしてもよい。あるいは、ユーザは、カーソル４４をスライダ１７５の上に置き、マウス４２のスイッチ４６を押し、英字スクロール・バー１７６の全域で所望の英字までカーソルとスライダをドラッグすることによって、所望の英字の上にスライダ１７５を位置決めすることもできる。所望の文字（図９では「Ｆ」）に達すると、ユーザはマウス４２のスイッチ４６を解放する。選択後、選択された英字を有する項目から、項目リストが表示される。図１０に示すように、「Ｆｉｌｅｓ」などの項目の上にカーソル４４を置き、マウス４２のスイッチ４６を瞬間的にクリックすると、図５および図６に関して前述した質問のリストが表示される。前述のトピック・ボタンの例と同様、図１１に示すように、次にユーザは質問（たとえば、「Ｈｏｗ  ｄｏ  Ｉ  ｆｉｎｄ  ａ  ｆｉｌｅ  ｏｒ  ｆｏｌｄｅｒ？」）を選択し、マウス・ボタン４６を瞬間的にクリックする。図７に示すように、ここでプレゼンテーション・ウィンドウ１６５が表示され、前述のように機能する。
【００３６】
次に図１２を参照すると、「Ｌｏｏｋ  Ｆｏｒ」ボタン機能１４０の上にカーソル４４を置き、マウス４２のスイッチ４６を瞬間的に活動化すると、全体が番号２００で示される検索画面が生成され表示される。この検索画面２００では、ユーザは、テキスト・ボックス２１０に句を入力し、その句に関連する質問があればその質問を表示することができる。索引ボタンとトピック・ボタンに関する前述の例と同様、検索ボタン１４０が選択されると、そのボタンが反転表示され、それにより、そのボタンが現在活動状態であることを示す。
【００３７】
図１３に示すように、検索画面２００は、探索ボタン機能２１５も含む。操作に際してユーザは、キーボード５６を使用して、テキスト・ボックス２１０に探索単語（図１３の例では「ｆｉｎｄ」という単語）を入力する。次にユーザは、探索ボタン機能２１５の上にカーソルを置き、スイッチ４６を瞬間的にクリックする。探索ボタン２１５を選択すると、ＣＰＵ５２は、メモリ５５、大容量メモリ６０、またはＣＤ−ＲＯＭ６２に格納されたヘルプ・データベースを探索し、図３ないし図１１に関して前述したように、作業域１４５内に探索単語に対応する質問のリストを表示する。図１４に示すように、所望の質問（「Ｈｏｗ  ｄｏ  Ｉ  ｆｉｎｄ  ａ  ｆｉｌｅ  ｏｒ  ｆｏｌｄｅｒ？」など）を選択するには、ユーザは、その質問の上にカーソル４４を置き、スイッチ４６を瞬間的にクリックする。次に、選択したヘルプ機能を開始するため、ユーザは、「ＯＫ」ボタン機能２２５の上にカーソル４４を置き、スイッチ４６をもう一度クリックする。ヘルプ照会の選択を感知すると、ＣＰＵ５２は、図７および図１２に関して前述したように、プレゼンテーション・ウィンドウ１６５を生成して表示する。この場合、ユーザは、プレゼンテーション・ウィンドウ１６５に表示された３つの基準（図１５の例に示すもの）のうちの１つを選択することによって、ヘルプ要求をさらに定義することができる。
【００３８】
したがって、本明細書に記載するように、本発明は、コンピュータ・システム４８から所望のヘルプ情報を得るための３通りのアクセス方法を提供する。ユーザは、トピック・ボタン機能１３５、索引ボタン機能１３８、または検索ボタン機能１４０を選択することができる。３つの選択ボタン機能の１つを使用すると、適切なアクセス・ウィンドウとプレゼンテーション・ウィンドウが表示され、ユーザが図１に示すコンピュータ・システムを操作するために必要な所望の情報を得るのに役に立つ。以下に詳述するように、本発明は、従来のヘルプ・ベース・システムおよびＧＵＩ設計と本発明を区別する追加機能を提供する。
【００３９】
<<英字スクロール・バー>>
図８ないし図１１に関して前述したように、索引ボタン機能１３８を選択すると、索引１７０と英字スクロール・バー１７６が表示される。図８および図１７に示すように、英字スクロール・バー１７６はスライダ１７５を含む。索引１７０は垂直スクロール・バー２５０をさらに含む。図１７に示すように、英字スクロール・バー１７６は、索引ボタン機能１３８を選択したときに表示される複数の英字Ａ〜Ｓを含む。図１７では、英字Ａ〜Ｓが英字スクロール・バー１７６上に表示されている様子を示しているが、当業者であれば、英字の選択は設計上の好みの問題であることに留意されたい。たとえば、英字スクロール・バー１７６上に配置された英字を、ユーザが使用する特定のアプリケーションおよび言語システムに必要な他の文字、記号、または英語以外の言語の文字に置き換えることが可能である。
【００４０】
図１７と図１８の流れ図に示すように、ユーザは、英字（「Ｆ」）の上またはそれに隣接してカーソル４４を置き、スイッチ４６を瞬間的にクリックすることによって、所望の文字（図１７の例では英字「Ｆ」）を選択することができる。あるいは、図１９の流れ図に示すように、スライダ１７５の一部の上にカーソル４４を置き、スイッチ４６を押し、その箇所でユーザがスイッチ４６を解放する所望の英字の上にカーソルとスライダをドラッグすることによって、英字を選択することもできる。
【００４１】
図１のキーボード５６上の所望の文字キーをユーザが押すことによって選択を行うこともできる。キーボード文字の入力を感知すると、ＣＰＵ５２は、英字スクロール・バー１７６上の対応する文字の上にスライダ１７５を表示する（図２０を参照）。さらに、スライダ１７５は、垂直スクロール・バー２５０の上にカーソル４４を置き、スイッチ４６を押すことによって、英字スクロール・バー１７６上に移動させることもできる。スクロール・バー２５０の上にカーソル４４を置き、スイッチ４６を押したことを感知すると、ＣＰＵ５２は、ユーザがスイッチ４６を解放するまで、カーソル４４の方向に項目のリストをスクロールする。スイッチ４６が解放されると、ＣＰＵ５２は、項目リストの先頭にある現行項目を表す文字の上にスライダ１７５を表示する（図２１を参照）。
【００４２】
さらに、スライダは、図２２の流れ図に示す方法を使用して移動させることもできる。ユーザが最初に索引ボタン機能１３８を選択した後で、索引機能１３８を選択すると、ＣＰＵ５２は索引項目を備えた索引１７０を表示する。索引項目をスクロールする代替方法は、ユーザが索引項目の上にカーソル４４を置き、スイッチ４６を押すという方法である。索引１７０が表示されるサブウィンドウの外でカーソル４４を垂直方向に（上または下に）ドラッグし、スイッチ４６を押し続けると、ＣＰＵ５２は、カーソル４４とは反対方向に索引項目をスクロールする。この実施の形態では、項目をスクロールするにつれて、索引項目が１つずつ黒（またはその他の目立つ色）で強調表示される。所望の項目が強調表示された後でスイッチ４６を解放すると、その項目が選択され、現在表示されている索引項目リスト内の一番上の項目の最初の英字に対応する文字の上にスライダ１７５が表示される。
【００４３】
この好ましい実施の形態では、ＣＰＵ５２がある文字位置から別の文字位置にスナップのようにスライダ１７５を移動させる（本発明の基礎となる特許出願と同時に提出される“Ｒｅｎｏ”というタイトルのビデオ・テープを参照されたい）。ただし、ＣＰＵ５２はスライダ１７５のこの動きを選択された文字でのスナップ運動を伴う連続運動として解釈できるものとする。
【００４４】
図示の通り、英字（文字）を選択すると、ＣＰＵ５２は、選択された英字から始まる索引項目を表示する。さらに、すべての索引英字（例ではＡ〜Ｚ）を表示するための十分な空間がない場合、ユーザは、英字スクロール・バー１７６をスクロールして、追加の英字、記号、またはその他の文字を表示することができる。
【００４５】
次に図２３および図２４を参照すると、英字「Ｚ」の選択が示されている。操作に際して、英字「Ｚ」（またはその他の本来は表示されない英字）の選択を希望するユーザは、スライダ１７５の一部の上にカーソル４４を置く。次にユーザは、スイッチ４６を押し、英字スクロール・バー１７６の末端（この例では英字「Ｓ」）までカーソル４４とスライダ１７５をドラッグする。スイッチ４６を押し続ける間、ユーザは、最後の表示されている記号（英字「Ｓ」）を越えてカーソル４４とスライダ１７５の移動を続ける。英字スクロール・バー１７６の最後に表示される記号または文字を越えてスライダ１７５とカーソル４４を移動させようとしていることを感知すると、ＣＰＵ５２は英字スクロール・バー１７６の内容をスクロールする。たとえば、図２３に示すように、スライダ１７５が英字「Ｓ」の上に置かれているときに、ユーザがスライダ１７５を右に移動し続けると、ＣＰＵ５２はその移動の試みを感知し、スクロール・バー１７６を左にスクロールし、それにより、Ｔ〜Ｚが見えるようになる。同様に、ユーザが英字「Ｉ」の上にスライダ１７５を置いて、さらに左にスライダ１７５を移動させようと試みると、ＣＰＵ５２は英字スクロール・バー１７６を右にスクロールし、それにより、英字Ａ〜Ｈがもう一度見えるようになる。図２５は、その後、英字「Ｐ」の上にスライダ１７５を位置決めする操作を示している。この場合、索引の内容は、選択された英字「Ｐ」から始まる最も近い項目とそれ以降のすべての項目を表示するようにＣＰＵ５２によって変更される。ただし、英字「Ｐ」がすでに見えているので、スクロール・バー１７６はそれ以上スクロールされない。
【００４６】
また、所与のアプリケーションでは、英字スクロール・バー１７６が連続ループのようにスクロールすることが望ましい場合があるものとする。図２３および図２４の例では、連続スクロールを使用すると、スクロール・バー１７６が英字「Ｚ」から英字「Ａ」に戻り、さらにそれ以降の英字をスクロールすることになるはずである。日本語、中国語、タイ語などの英語以外の文字システムでは、全字母として英語よりかなり多い文字が含まれるので、スクロール・バー１７６の連続ループが望ましい場合がある。
【００４７】
図２６に示すように、上記の方法のいずれかを使用して英字スライダが１つの英字（図２６では英字「Ｄ」）の上に置かれると、英字Ｄから始まる項目が表示される。図２４には、ユーザによって項目「ｄｉｓｋｓ」の上に置かれたカーソル４４が示されている。その後、スイッチ４６を瞬間的に押すと、選択された項目に関連する質問が表示される。所望の質問を選択すると、カーソル４４がＯＫボタン機能の上に置かれ、スイッチ４６がクリックされるか、あるいはカーソル４４を所望の質問の上に置いて、スイッチ４６をダブル・クリックすることができる。図２７に示すように、所望の質問の上にカーソル４４が表示された状態で図２６のＯＫボタンをクリックするか、ダブル・クリックすると、所望のヘルプ情報を得るためにユーザが操作可能なプレゼンテーション・ウィンドウ３００が生成される。
【００４８】
<<フローティング・ウィンドウ>>
もう一度図２７を参照すると、「ＧＦＸ  Ｓｏｕｎｄ  ａｎｄ  Ｓｃａｎ」というタイトルのウィンドウ３０２に重なるプレゼンテーション・ウィンドウ３００が示されている。プレゼンテーション・ウィンドウ３００は、ユーザには下にあるウィンドウ３０２の上に「浮遊」しているように見える。本発明と従来のウィンドウ・システムとの重要な違いは、プレゼンテーション・ウィンドウ３００とアクセス・ウィンドウ１３０とを含むヘルプ・ウィンドウが、現在表示されている他のウィンドウ・アプリケーションとは無関係に表示される点である。図２７の例では、ウィンドウ３０２が「活動」ウィンドウのままになっており、ユーザは、アクセス・ウィンドウ３００が「一番上」のウィンドウとして表示されていても図示の様々なフォルダ内に配置されたデータを操作することができる。図示の通り、プレゼンテーション・ウィンドウ３００がウィンドウ３０２の上に表示されている間、ユーザは、ウィンドウ３０２内の「Ｓｙｓｔｅｍ  Ｆｏｌｄｅｒ」などのフォルダを選択することができる。あるいは、ユーザは、図示されている「Ｃｈｏｏｓｅ  ａ  ｐａｔｔｅｒｎ」などのオプションを選択することによって、プレゼンテーション・ウィンドウ３００を使用してヘルプ情報を得ることができる。
【００４９】
従来のシステムでは、ウィンドウを選択すると、それにより選択されたウィンドウが活動状態になり、その結果、下にあるウィンドウの上に活動ウィンドウが表示され、ユーザは現在活動状態のウィンドウしか操作することができなかった。本発明の教示を使用すると、プレゼンテーション・ウィンドウ３００またはアクセス・ウィンドウ１３０は、ウィンドウ３０２などの他のアプリケーション・ウィンドウの上に「浮遊」し、同時に活動状態になり、それにより、ユーザはウィンドウ階層の順序を変更せずに両方のウィンドウ３０２および３００を操作することができる。
【００５０】
次に図２８を参照すると、本発明のフローティング・ウィンドウ属性のもう１つの例が示されている。図示の通り、プレゼンテーション・ウィンドウ３１０は「Ｃｏｎｔｒｏｌ  Ｐａｎｅｌｓ」というタイトルのウィンドウ３１２に重なっている。次にウィンドウ３１２は「ＧＦＸ  Ｓｏｕｎｄ  ａｎｄ  Ｓｃａｎ」というタイトルのウィンドウ３１４に重なっている。図２８に示す例では、プレゼンテーション・ウィンドウ３１０が活動状態であり、ユーザは、表示画面６８の背景パターンの変更方法に関するウィンドウ３１０内の命令に従うことができる。さらに、コントロール・パネル・ウィンドウ３１２も同時に活動状態になり、ユーザは、ウィンドウ３１２内のアイコンによって表される様々な機能を操作することができる。したがって、本発明のフローティング・ウィンドウでは、２つのウィンドウを活動状態にし、２つのウィンドウをユーザが同時に操作することが可能である。従来のウィンドウベース・システムの場合のように、その下にある「ＧＦＸ  Ｓｏｕｎｄ  ａｎｄ  Ｓｃａｎ」ウィンドウ（３１４）は非活動状態である。下にあるウィンドウ３１４を活動状態にするには、ユーザは、ウィンドウ３１４の一部の上にカーソル４４を置き、スイッチ４６を瞬間的にクリックすることになるはずである。
【００５１】
例のため、図２８に示す汎用制御アイコン３１６の一部の上にユーザがカーソル４４を置くものと想定する。この汎用制御アイコン機能は、周知の通り、スイッチ４６を瞬間的にクリックすることによって活動化することができる。次に図２９を参照すると、アイコン３１６の上にカーソル４４を置いた後でスイッチ４６をクリックすると、ＣＰＵ５２はコントロール・パネル・ウィンドウ３１２の上に重なる汎用制御ウィンドウ３１８を生成して表示する。汎用制御ウィンドウ３１８を開くと、汎用制御ウィンドウが活動状態になり、下にあるウィンドウすなわちコントロール・パネル・ウィンドウ３１２と「ＧＦＸ  Ｓｏｕｎｄ  ａｎｄ  Ｓｃａｎ」ウィンドウ３１４が非活動状態になる。ただし、コントロール・パネル・ウィンドウ３１２など、アプリケーション内の下にあるウィンドウを開いたり操作しても、プレゼンテーション・ウィンドウ３１０の活動状態は変更されない。汎用制御ウィンドウ３１８とプレゼンテーション・ウィンドウ３１０の両方が活動状態であり、ユーザによって操作可能である。また、本発明の教示を使用すると、表示画面６８上の他の区域にプレゼンテーション・ウィンドウ３１０を置いても、プレゼンテーション・ウィンドウ３１０またはその下にあるアプリケーション・ウィンドウのいずれの機能も変更されない。
【００５２】
次に図３０を参照すると、「ＧＦＸ  Ｓｏｕｎｄ  ａｎｄ  Ｓｃａｎ」ウィンドウ３１４の上に重なっているプレゼンテーション・ウィンドウ３１０が示されている。この図に示すように、プレゼンテーション・ウィンドウ３１０と「ＧＦＸ  Ｓｏｕｎｄ  ａｎｄ  Ｓｃａｎ」ウィンドウ３１４はともに活動状態になっている。前述の通り、プレゼンテーション・ウィンドウ３１０に適用される本発明のフローティング・ウィンドウ属性により、下にあるウィンドウのアプリケーションは、プレゼンテーション・ウィンドウ３１０の操作とは無関係に操作することができる。図示の通り、プレゼンテーション・ウィンドウ３１０は、「ＨＵＨ？」３２０というタイトルのボタン機能を含む。このボタン機能３２０の一部の上にカーソル４４を置き、スイッチ４６を瞬間的にクリックすることにより、ＣＰＵ５２は、プレゼンテーション・ウィンドウ３１０と「ＧＦＸ  Ｓｏｕｎｄ  ａｎｄ  Ｓｃａｎ」ウィンドウ３１４の両ウィンドウの上に重なるウィンドウ３２２を生成して表示する。図３１に示すように、ウィンドウ３２２は活動状態であり、プレゼンテーション・ウィンドウ３１０は非活動状態になっている。ユーザがウィンドウ３１４内に配置されたデータと諸機能を操作すると同時にウィンドウ３２２も操作できるように、ウィンドウ３１４は活動状態のままになる。本発明では、ユーザを混乱させないためにプレゼンテーション・ウィンドウ３１０が非活動状態になる。ウィンドウ・クローズ・マーク３３０の上にカーソル４４を置き、スイッチ４６を瞬間的にクリックすることによりウィンドウ３２２を消去すると、プレゼンテーション・ウィンドウ３１０がもう一度活動状態になる。
【００５３】
<<指示マーク>>
名前を理解してオブジェクトを識別することは、特にコンピュータ・システムを操作する際にエンド・ユーザを混乱させる可能性がある。したがって、後述するように、本発明は、図１に示すコンピュータ・システムを操作する際にユーザをさらに支援する追加機能を提供する。ヘルプ・プレゼンテーション・ウィンドウで参照されるオブジェクトに表示画面６８上でスポットライトを当てる技法を開示する。本発明は、要求されたヘルプ機能についてユーザに指示するために、手書きのように見えるがＣＰＵ５２によって生成される「指示マーク」を提供する。お分かりのように、指示マークは表示画面６８上に表示されたオブジェクトにユーザの注意を引きつけ、ユーザが事前にオブジェクトの名前または機能を知らなくてもオブジェクトを識別する上で効果的である。指示マークは目に見えるので、ユーザの言語とは無関係に機能する。図３２ないし図３８に示す本発明では、黒と白の指示マークを使用しているが、当業者であれば、カラー表示システムを使用して指示マークをカラー表示できることに留意されたい。
【００５４】
次に図３２を参照すると、これまでの図に示したように、「ＧＦＸ  Ｓｏｕｎｄ  ａｎｄ  Ｓｃａｎ」ウィンドウ３１４が示されている。さらに、「ＧＦＸ  Ｓｏｕｎｄ  ａｎｄ  Ｓｃａｎ」ウィンドウ３１４の上に重なってプレゼンテーション・ウィンドウ３３５が示されている。また、メニュー・バー３４５上のコマンド・オプション「ｆｉｌｅ」を囲む編集指示マーク３４０も示されている。操作に際しては、プレゼンテーション・ウィンドウ３３５の生成および表示とほぼ同時に、ＣＰＵ５２が指示マーク３４０を生成して表示する。この好ましい実施の形態では、指示マーク３４０の生成および表示は、ユーザにはハンド・マーカなどで手書きしたように見える。しかも、この好ましい実施の形態では、指示マーク３４０はデータベースの著者が選択可能な色になっており、この表現が表示画面上の他のＣＰＵ操作より意図的に遅くなり、ユーザにはアニメーション化されたように見えるような速度で指示マーク３４０がＣＰＵによって表示される。指示マーク３４０の目的は、前述の本発明のアクセス・ウィンドウおよびプレゼンテーション・ウィンドウによりアクセスされた所望のヘルプ機能を実施するためにユーザが選択またはその他の操作を行わなければならない、表示画面６８上のオブジェクトを識別し、それにユーザの注意を引きつけることである。
【００５５】
次に図３３を参照すると、ユーザを支援するために指示マークを使用する本発明の使用法のもう１つの例が示されている。この例では、アクセス・ウィンドウ（図示せず）内の質問を適切に選択することにより、プレゼンテーション・ウィンドウ３４８が表示される。汎用制御ウィンドウ３５０として識別された活動ウィンドウは、コントロール・パネル・ウィンドウ３５２および「ＧＦＸ  Ｓｏｕｎｄ  ａｎｄ  Ｓｃａｎ」ウィンドウ３１４の上に重なって表示される。この例で「Ｈｏｗ  ｄｏ  Ｉ  Ｃｈａｎｇｅ  ｔｈｅ  Ｂａｃｋｇｒｏｕｎｄ  Ｐａｔｔｅｒｎ？」と呼ばれる所望のヘルプ機能を実施する際にユーザを支援するため、ＣＰＵ５２によって円形指示マーク３５５が提供される。図３３に示す例では、プレゼンテーション・ウィンドウ３４８が生成され表示されると、ＣＰＵ５２は指示マーク３５５も生成し、図示の通り、デスクトップ・パターン３５８含むアイコンを取り囲む。指示マーク３５５の生成および表示により、ユーザの注意は、ユーザが操作しなければならない表示画面６８上の適切なアイコンに引きつけられる。人間が「手書き」したように見える指示マークを提供することにより、ユーザは自分が操作しなければならない表示画面上６８の位置を視覚的に識別する能力が高まることが分かっている。このため、この好ましい実施の形態では、人間がカラー・マーカで表示画面６８上に描いたかのようにユーザに見えるように、ＣＰＵ５２が本発明の指示マークを生成する。図３３で分かるように、指示マーク３５５は円に近く、人間がアイコン３５８の周囲にマークを描いたかのような視覚的外観を有する。円を数学的に正確に描くのとは対照的に単に円に近くなるように指示マーク３５５を表現すると、指示マーク３５５がマシンで描いた場合のように完全な対称形には見えないため、ユーザの注意を最も引きつけることが分かっている。さらに、指示マーク３５５は、メモリ内に格納されたインタフェースの単なる表現ではなく、ＣＰＵ５２によって表示されるときに実際のインタフェース上に表現される。
【００５６】
次に図３４を参照すると、円形指示マークのもう１つの例が示されている。図示の通り、プレゼンテーション・ウィンドウ３６０は表示画面６８上に表示される。「Ｆｉｎｄ」ウィンドウ３６２は「ＧＦＸ  Ｓｏｕｎｄ  ａｎｄ  Ｓｃａｎ」ウィンドウ３６５の上に重なる。この例では、プレゼンテーション・ウィンドウ３６０と「Ｆｉｎｄ」ウィンドウ３６２が同時に活動状態になる。「ＧＦＸ  Ｓｏｕｎｄ  ａｎｄ  Ｓｃａｎ」ウィンドウ３６５は、「Ｆｉｎｄ」ウィンドウ３６２の下にあるので、この時点では非活動状態である。図３２および図３３の例のように、プレゼンテーション・ウィンドウ３６０を生成すると、ＣＰＵ５２は、「Ｍｏｒｅ  Ｃｈｏｉｃｅｓ」３７２というタイトルのボタン機能を囲む円形指示マーク３７０を生成し、その指示マークを半透明カラーで表示する。
【００５７】
次に図３５を参照すると、コントロール・パネル・ウィンドウ３８０および「ＧＦＸ  Ｓｏｕｎｄ  ａｎｄ  Ｓｃａｎ」ウィンドウ３８２の上に重なるプレゼンテーション・ウィンドウ３７８が示されている。また、コントロール・パネル・ウィンドウ３８０の上に重なり、しかも活動状態の「Ｆｉｎｄ」ウィンドウ３８４も示されている。このため、この例では「Ｆｉｎｄ」ウィンドウ３８４とプレゼンテーション・ウィンドウ３７８がこの時点で活動状態のウィンドウになる。また、ユーザによるデータ入力を必要とする「Ｆｉｎｄ」ウィンドウ３８４内の区域にユーザの注意を引きつける、およその形状が「Ｘ」の指示マーク３８６も示されている。ユーザは、プレゼンテーション・ウィンドウ３７８に表示された「Ｈｏｗ  Ｄｏ  Ｉ  Ｆｉｎｄ  ａ  Ｆｉｌｅ  ｏｒ  Ｆｏｌｄｅｒ？」という質問によって識別される必要なヘルプ情報を得るために、「Ｆｉｎｄ」フィールド３９０に探索用語を挿入しなければならない。したがって、この例では、指示マーク３８６は、ユーザがデータを入力しなければならない位置を識別する際にユーザを支援するため、ＣＰＵ５２によって生成され表示された手書きの「Ｘ」の用に見える形態をとる。
【００５８】
次に図３６を参照すると、プレゼンテーション・ウィンドウ３９２が表示され、汎用制御というタイトルの活動ウィンドウ３９４の一部の上に重なっている、本発明の指示マークの使用法が示されている。コントロール・パネル・ウィンドウ３８０と「ＧＦＸ  Ｓｏｕｎｄ  ａｎｄ  Ｓｃａｎ」ウィンドウ３８２が表示されているが、これらは活動ウィンドウではない。図示の通り、前述の本発明の教示を使用して、ユーザは「Ｈｏｗ  Ｄｏ  Ｉ  Ｃｈａｎｇｅ  Ｔｈｅ  Ｂｌｉｎｋｉｎｇ  Ｒａｔｅ  ｏｆ  ｔｈｅ  Ｉｎｓｅｒｔｉｏｎ  Ｐｏｉｎｔ？」という質問を識別し、それに応答してＣＰＵ５２は、所望のタスクを実施する方法に関する命令を伴うプレゼンテーション・ウィンドウ３９２を生成している。さらに、ＣＰＵ５２は、挿入箇所のブリンク速度を変更するという所望のタスクを実施するために操作しなければならないボタン機能にユーザの注意を引きつけるため、下線指示マーク３９６を生成し表示している。
【００５９】
図３７を参照すると、ユーザによる「Ｈｏｗ  Ｄｏ  Ｉ  Ｃｈａｎｇｅ  ｔｈｅ  Ｋｅｙｂｏａｒｄ  Ｌａｙｏｕｔ？」という照会に応答して、ＣＰＵ５２は、図示の通り、コントロール・パネル・ウィンドウ３８０と「ＧＦＸ  Ｓｏｕｎｄ  ａｎｄ  Ｓｃａｎ」ウィンドウ３８２の一部の上に重なるプレゼンテーション・ウィンドウ４００を作成して表示する。「Ｋｅｙｂｏａｒｄ」というタイトルのウィンドウ４２０が開き、表示されている。図示の通り、ユーザを支援するため、ＣＰＵ５２は矢印４０８の形状の指示マークを生成して表示する。矢印指示マーク４０８は、キーボード・レイアウトを変更するという所望のタスクを実施するために選択しなければならない必要項目にユーザの注意を引きつける。
【００６０】
同様に、図３８では、本発明のアクセス・ウィンドウ（図示せず）の使用により、ユーザは「Ｈｏｗ  Ｄｏ  Ｉ  Ｃｈａｎｇｅ  ｔｈｅ  Ｂａｃｋｇｒｏｕｎｄ  Ｐａｔｔｅｒｎ？」という質問を選択している。この照会に応答して、ＣＰＵ５２は、コントロール・パネル・ウィンドウ３８０と「ＧＦＸ  Ｓｏｕｎｄ  ａｎｄ  Ｓｃａｎ」ウィンドウ３８２の上に重なるプレゼンテーション・ウィンドウ４１０を生成して表示する。図示の通り、プレゼンテーション・ウィンドウ４１０は、背景パターンを変更するには「Ｇｅｎｅｒａｌ  Ｃｏｎｔｒｏｌｓ」というタイトルのアイコン４１２を「開く」必要があることをユーザに通知する。汎用制御アイコン４１２にユーザの注意を引きつけるため、ＣＰＵ５２は、図示の通り、直線矢印指示マーク４１６を生成して表示する。
【００６１】
画面６８上の特定のオブジェクト、機能、またはその他の表示要素にユーザの注意を引きつけるために指示マークを使用することは、図１に示すコンピュータ・システムを操作する際に大いにユーザを支援することが分かっている。ここに開示したヘルプ・システムに関連して本発明の指示マークの使用法について説明してきたが、当業者であれば、指示マークのその使用法が本明細書に示されているヘルプ・システムに限定されないことに留意されたい。また、本明細書に開示し説明した指示マークが様々なＧＵＩ機能に応用でき、グラフィック・ヘルプ・システムでの使用に限定されないことに留意されたい。
【００６２】
したがって、前述の通り、本発明は、ＧＵＩ表示システムで使用するための固有のヘルプ・ベース・ウィンドウ・システムを提供する。本発明のアクセス方法、アクセス・ウィンドウ、およびプレゼンテーション・ウィンドウは、フローティング・ウィンドウおよび指示マークを含む本発明の所属性と相まって、ユーザを支援するウィンドウベース・ヘルプ・ユーザ・インタフェースを提供する。図１ないし図３８に関連して本発明を説明してきたが、これらの図は例示のみを目的とし、本発明の精神および範囲を限定するものではないことに留意されたい。たとえば、これらの図は、必要により、所与の属性、アイコン、機能を有するウィンドウ例を使用しているが、本発明は示された特定の例によって限定されないことに留意されたい。むしろ、本発明はいかなるウィンドウベースのＧＵＩ表示システムにも応用することができる。さらに、本発明は、様々なコンピュータ・プログラミング言語およびハードウェアを使用して実現することができ、いかなる特定のハードウェアまたはソフトウェアにも限定されないことに留意されたい。
【００６３】
さらに、本発明の指示マークの使用法など、本発明の所与の特徴および態様は静的事象ではなく、運動を伴うものとしてユーザに認識されることに留意されたい。書面による明細書には制約があるので、本発明の基礎となる特許出願と同時に本出願人によって提出される“Ｒｅｎｏ  Ｍａｃｉｎｔｏｓｈ  Ｈｅｌｐ”というタイトルのビデオ・テープならびに同一名のソフトウェア・プログラムを参照されたい。
なお、この明細書に開示した新技術の態様を列挙すれば次のようである。
（１）  ディスプレイ上の複数のウィンドウにデータが表示されるように前記ディスプレイに結合された中央演算処理装置（ＣＰＵ）を有するコンピュータ表示システムにおいて、前記ウィンドウを表示し、前記ウィンドウと前記ウィンドウ内の前記データとをユーザが操作する方法であって、
前記ＣＰＵが第１のウィンドウと第２のウィンドウとを生成して表示し、前記第１のウィンドウが前記ディスプレイ上の前記第２のウィンドウの一部の上に重なるステップと、
前記ウィンドウの両方が同時に活動状態になり、前記ウィンドウのそれぞれと前記それぞれのウィンドウ内に配置されたデータとを操作するために前記ユーザが使用できるようになるステップとを含むことを特徴とする方法。
（２）  前記ＣＰＵに結合されたカーソル制御装置を使用して、前記ユーザが前記ウィンドウのそれぞれを前記ディスプレイ上に選択的に位置決めすることができることを特徴とする上記（１）に記載の方法。
（３）  前記ＣＰＵによって生成され表示される第３のウィンドウをさらに含むことを特徴とする上記（２）に記載の方法。
（４）  前記第２のウィンドウが前記第３のウィンドウの少なくとも一部の上に配置され、前記第１および第２のウィンドウが活動状態であり、前記第３のウィンドウが非活動状態であることを特徴とする上記（３）に記載の方法。
（５）  前記第３のウィンドウと前記第３のウィンドウ内に配置されたデータとを操作することを希望する前記ユーザが、前記カーソル制御装置を使用して前記ディスプレイ上のカーソルを前記第３のウィンドウの一部の上に置くことにより、前記第３のウィンドウを活動状態にして前記ＣＰＵに第１の信号を供給し、その第１の信号を受け取ると、前記第３のウィンドウが前記第１および第２のウィンドウ間に表示され、前記第１および第３のウィンドウが同時に活動状態になり、前記第２のウィンドウが非活動状態になるように、前記ＣＰＵが前記第３のウィンドウの相対位置を修正することを特徴とする上記（４）に記載の方法。
（６）  前記ユーザが前記ＣＰＵに結合されたスイッチを瞬間的に活動化することにより、前記第１の信号が生成されることを特徴とする上記（５）に記載の方法。
（７）  前記第１のウィンドウがヘルプ・アクセス・ウィンドウを含むことを特徴とする上記（４）に記載の方法。
（８）  選択が行われると前記ＣＰＵが前記ディスプレイ上に前記アクセス・ウィンドウを生成して表示するように、前記ユーザが前記アクセス・ウィンドウを選択できるようにするために、前記ディスプレイが前記ＣＰＵに結合された選択手段を含むことを特徴とする上記（７）に記載の方法。
（９）  前記アクセス・ウィンドウが、第１および第２の作業域と、前記ユーザによる選択用の少なくとも１つのアクセス・ボタン機能とを含み、
前記ユーザが、前記ＣＰＵに結合された選択手段を使用して、前記ボタン機能を選択し、
前記ＣＰＵが、前記第１の作業域に項目を表示し、
前記ユーザが、前記第１の作業域内の前記項目の１つを選択し、
前記ＣＰＵが、前記第２の作業域に選択された前記項目に関連する複数の句を表示し、
前記ユーザが、前記選択手段を使用して、表示された前記句の１つを選択し、
前記ＣＰＵが、前記ユーザのために選択された前記句に関連する命令データを含む少なくとも１つのプレゼンテーション・ウィンドウを前記ディスプレイ上に表示することを特徴とする上記（８）に記載の方法。
（１０）  前記ボタン機能がトピック・ボタン機能を含み、前記項目が前記ユーザによる選択のために順序づけられたトピック項目のリストを含むことを特徴とする上記（９）に記載の方法。
（１１）  前記ユーザによる選択のために前記句が質問の形式になっていることを特徴とする上記（１０）に記載の方法。
（１２）  前記アクセス・ウィンドウが検索ボタン機能をさらに含み、前記ユーザが前記検索ボタン機能を選択すると、前記第１の作業域に探索サブウィンドウが表示されることを特徴とする上記（１０）に記載の方法。
（１３）  前記ユーザが、前記探索サブウィンドウに探索単語を入力して、前記探索単語を探索するよう前記ＣＰＵに第２の信号を提供するステップをさらに含むことを特徴とする上記（１２）に記載の方法。
（１４）  前記第１の信号を感知すると、前記ＣＰＵが入力された前記探索単語に関連する前記句を前記アクセス・ウィンドウの前記第２の作業域に表示し、前記句が質問の形式になっていることを特徴とする上記（１３）に記載の方法。
（１５）  前記ディスプレイ上のカーソルを前記アクセス・ウィンドウ内の探索ボタン機能の上に置き、前記ＣＰＵに結合されたスイッチを瞬間的に活動化することにより、前記ユーザが、前記探索単語を探索するよう前記ＣＰＵに前記第２の信号を提供することを特徴とする上記（１４）に記載の方法。
（１６）  前記アクセス・ウィンドウに表示された索引ボタン機能をさらに含むことを特徴とする上記（１２）に記載の方法。
（１７）  前記ユーザが前記索引ボタン機能を選択すると、前記ＣＰ
Ｕが前記第１の作業域に索引ウィンドウを表示し、前記作業域が、
前記スクロール・バーに沿って表示される複数の文字と、
前記ＣＰＵに結合されたスライダ位置決め手段を使用して前記文字のそれぞれの少なくとも一部の上に選択的に位置決め可能なスライダとを含む、スクロール・バーを有し、
１つの文字の一部の上に前記スライダを置くと、前記ＣＰＵが選択された前記文字に対応するデータを前記第１の作業域に表示することを特徴とする上記（１６）に記載の方法。
（１８）  前記ユーザが前記スライダに対応する前記ディスプレイ上の所定の区域の上に前記カーソルを位置決めし、前記ＣＰＵに第２の信号を提供し、前記スライダが前記文字の前記一部の上に位置決めされるように前記カーソル制御装置を使用して前記ディスプレイ上の前記カーソルと前記スライダとを移動させ、前記ＣＰＵに第３の信号を提供することにより、前記スライダが前記所望の文字の上に位置決めされることを特徴とする上記（１７）に記載の方法。
（１９）  前記データが所定の階層通りに前記第１の作業域に表示されることを特徴とする上記（１８）に記載の方法。
（２０）  前記スクロール・バーが前記ウィンドウを横切って水平に配置されることを特徴とする上記（１９）に記載の方法。
（２１）  データを表示するためにディスプレイに結合された中央演算処理装置（ＣＰＵ）を有するコンピュータ表示システムにおいて、前記表示システムが、
前記ディスプレイ上のウィンドウ内にデータを表示するために前記ＣＰＵに結合されたユーザ・インタフェース生成手段であって、前記ユーザ・インタフェース生成手段が第１のウィンドウと第２のウィンドウとを生成して表示し、前記第１のウィンドウが前記ディスプレイ上で前記第２のウィンドウの一部の上に重なるユーザ・インタフェース生成手段を含み、
前記ウィンドウの両方が同時に活動状態になり、前記ウィンドウのそれぞれと前記それぞれのウィンドウ内に配置されたデータとを操作するために前記ユーザが使用できるようになることを特徴とする表示システム。
（２２）  前記ディスプレイ上のカーソルを制御するために前記ＣＰＵに結合されたカーソル制御手段を使用して、前記ユーザが前記ウィンドウのそれぞれを前記ディスプレイ上に選択的に位置決めすることができることを特徴とする上記（２１）に記載の表示システム。
（２３）  前記ユーザ・インタフェース生成手段が前記ディスプレイ上に第３のウィンドウを生成して表示することを特徴とする上記（２２）に記載の表示システム。
（２４）  前記第２のウィンドウが前記第３のウィンドウの少なくとも一部の上に配置され、前記第１および第２のウィンドウが同時に活動状態であり、前記第３のウィンドウが非活動状態であることを特徴とする上記（２３）に記載の表示システム。
（２５）  前記第３のウィンドウと前記第３のウィンドウ内に配置されたデータとを操作することを希望する前記ユーザが、前記カーソル制御手段を使用して前記ディスプレイ上の前記カーソルを前記第３のウィンドウの一部の上に置き、前記ＣＰＵに信号を供給することにより、前記第３のウィンドウを活動状態にし、前記信号を受け取ると、前記第３のウィンドウが前記第１および第２のウィンドウ間に表示され、前記第１および第３のウィンドウが同時に活動状態になり、前記第２のウィンドウが非活動状態になるように、前記ＣＰＵが前記第３のウィンドウの相対位置を修正することを特徴とする上記（２４）に記載の表示システム。
（２６）  前記ユーザが前記ＣＰＵに結合されたスイッチを瞬間的に活動化することにより、前記第１の信号が生成されることを特徴とする上記（２５）に記載の表示システム。
（２７）  前記第１のウィンドウがヘルプ・アクセス・ウィンドウを含むことを特徴とする上記（２５）に記載の表示システム。
（２８）  選択が行われると前記ＣＰＵが前記ディスプレイ上に前記アクセス・ウィンドウを生成して表示するように、前記ユーザが前記アクセス・ウィンドウを選択できるようにするために、前記ディスプレイが前記ＣＰＵに結合された選択手段を含むことを特徴とする上記（２７）に記載の表示システム。
（２９）  前記アクセス・ウィンドウが、第１および第２の作業域と、前記ユーザによる選択用の少なくとも１つのアクセス・ボタン機能とを含み、
前記ボタン機能を選択するために前記ＣＰＵに結合された選択手段をさらに含み、前記ボタン機能が選択されると前記ＣＰＵが前記第１の作業域に項目を表示し、
前記第１の作業域内の前記項目の１つが選択されると、前記ＣＰＵが、前記第２の作業域に選択された前記項目に関連する複数の句を表示し、前記ユーザが、前記選択手段を使用して、表示された前記句の１つを選択し、
前記ユーザが表示された前記句のうちの１つを選択すると表示される少なくとも１つのプレゼンテーション・ウィンドウをさらに含み、前記プレゼンテーション・ウィンドウが前記ディスプレイ上で前記ユーザのために選択された前記句に関連するヘルプ命令データを含み、前記プレゼンテーション・ウィンドウが表示されると前記アクセス・ウィンドウがもはや前記ＣＰＵによって表示されなくなることを特徴とする上記（２８）に記載の表示システム。
（３０）  前記ボタン機能がトピック・ボタン機能を含み、前記項目が前記ユーザによる選択のために順序づけられたトピック項目のリストを含むことを特徴とする上記（２９）に記載の表示システム。
（３１）  前記ユーザによる選択のために前記句が質問の形式になっていることを特徴とする上記（３０）に記載の表示システム。
（３２）  前記アクセス・ウィンドウが検索ボタン機能をさらに含み、
前記ユーザが前記検索ボタン機能を選択すると、前記ＣＰＵが前記第１の作業域に探索サブウィンドウを表示することを特徴とする上記（３１）に記載の表示システム。
（３３）  前記ユーザが、前記探索サブウィンドウに探索単語を入力して、前記探索単語を探索するよう前記ＣＰＵに第２の信号を与えることを特徴とする上記（３２）に記載の表示システム。
（３４）  前記第２の信号を感知すると、前記ＣＰＵが入力された前記探索単語に関連する前記句を前記アクセス・ウィンドウの前記第２の作業域に表示し、前記句が質問の形式になっていることを特徴とする上記（３３）に記載の表示システム。
（３５）  前記ディスプレイ上のカーソルを前記アクセス・ウィンドウ内の探索ボタン機能の上に置くことにより、前記ユーザが、前記探索単語を探索するよう前記ＣＰＵに前記第２の信号を与え、前記ＣＰＵに結合されたスイッチを瞬間的に活動化することを特徴とする上記（３４）に記載の表示システム。
（３６）  前記アクセス・ウィンドウに表示された索引ボタン機能をさらに含むことを特徴とする上記（３０）に記載の表示システム。
（３７）  前記ユーザが前記索引ボタン機能を選択すると、前記ＣＰＵが前記第１の作業域に索引ウィンドウを表示し、前記作業域が、
前記スクロール・バーに沿って表示される複数の文字と、
前記ＣＰＵに結合されたスライダ位置決め手段を使用して前記文字のそれぞれの少なくとも一部の上に選択的に位置決め可能なスライダとを含む、スクロール・バーを有し、
１つの文字の一部の上に前記スライダを置くと、前記ＣＰＵが選択された前記文字に対応するデータを前記第１の作業域に表示することを特徴とする上記（３６）に記載の表示システム。
（３８）  前記ユーザが前記スライダに対応する前記ディスプレイ上の所定の区域の上に前記カーソルを位置決めし、前記ＣＰＵに第３の信号を与え、前記スライダが前記文字の前記一部の上に位置決めされるように前記カーソル制御装置を使用して前記ディスプレイ上の前記カーソルと前記スライダとを移動させ、前記ＣＰＵに第４の信号を与えることにより、前記スライダが前記所望の文字の上に位置決めされることを特徴とする上記（３７）に記載の表示システム。
（３９）  前記データが所定の階層通りに前記第１の作業域に表示されることを特徴とする上記（３７）に記載の表示システム。
（４０）  前記スクロール・バーが前記ウィンドウを横切って水平に配置されることを特徴とする上記（３７）に記載の表示システム。
（４１）  データを表示するためにディスプレイに結合された中央演算処理装置（ＣＰＵ）を有するコンピュータ表示システムにおいて、前記表示システムが、
前記ディスプレイ上のウィンドウ内にデータを表示するために前記ＣＰＵに結合されたユーザ・インタフェース生成手段を含み、
前記ウィンドウの少なくとも１つがデータを表示するための作業域を含み、前記作業域が、
前記スクロール・バーに沿って表示される複数の文字と、
前記ＣＰＵに結合されたスライダ位置決め手段を使用して前記文字のそれぞれの少なくとも一部の上に選択的に位置決め可能なスライダとを含むスクロール・バーを有し、
１つの文字の一部の上に前記スライダを置くと、前記ＣＰＵが選択された前記文字に対応するデータを前記作業域に表示することを特徴とする表示システム。
（４２）  前記スライダ位置決め手段が、前記ディスプレイ上のカーソルを位置決めするために前記ＣＰＵに結合されたカーソル制御装置を含み、前記カーソル制御装置がユーザによって制御されることを特徴とする上記（１）に記載の表示システム。
（４３）  前記ユーザが前記スライダに対応する前記ディスプレイ上の所定の区域の上に前記カーソルを位置決めし、前記ＣＰＵに第１の信号を与え、前記スライダが前記文字の前記一部の上に位置決めされるように前記ディスプレイ上の前記カーソルと前記スライダとを移動させ、前記ＣＰＵに第２の信号を与えることにより、前記スライダが所望の文字の上に位置決めされることを特徴とする上記（２）に記載の表示システム。
（４４）  前記データが所定の階層通りに前記作業域に表示されることを特徴とする上記（２）に記載の表示システム。
（４５）  前記スクロール・バーが前記ウィンドウを横切って水平に配置されることを特徴とする上記（４）に記載の表示システム。
（４６）  前記スライダが置かれる前記文字が、前記スライダを通して前記ユーザに見えることを特徴とする上記（５）に記載の表示システム。
（４７）  前記スライダが四角形の形式になっていることを特徴とする上記（６）に記載の表示システム。
（４８）  スイッチを押すことにより前記第１の信号が提供され、前記スイッチを解放することにより前記第２の信号が提供されることを特徴とする上記（６）に記載の表示システム。
（４９）  前記スイッチが前記カーソル制御装置上に配置されることを特徴とする上記（８）に記載の表示システム。
（５０）  前記ユーザが前記所望の文字に対応する前記ディスプレイの所定の区域の上に前記カーソルを位置決めして前記ＣＰＵに信号を与え、前記スライダが前記所望の文字の上に表示されるように前記ＣＰＵが前記スライダを移動させることにより、前記スライダが所望の文字の上に位置決めされることを特徴とする上記（２）に記載の表示システム。
（５１）  前記ユーザが、前記カーソル制御装置上に配置されたスイッチを瞬間的に活動化することにより、前記信号が前記ＣＰＵに提供されることを特徴とする上記（１０）に記載の表示システム。
（５２）  前記ユーザが前記スライダに対応する前記ディスプレイ上の前記所定の区域の上に前記カーソルを位置決めして前記ＣＰＵに第１の信号を与え、前記ユーザが前記カーソル制御装置を使用して前記スクロール・バーの末端まで前記スライダと前記カーソルとを移動させ、前記ＣＰＵが前記追加の文字を生成して表示し、表示されている前記他の文字を前記末端とは反対方向にスクロールすることにより、前記スクロール・バー上に追加の文字が表示されることを特徴とする上記（２）に記載の表示システム。
（５３）  スイッチを押すことにより、前記第１の信号が前記ＣＰＵに与えられることを特徴とする上記（１２）に記載の表示システム。
（５４）  前記カーソル制御装置がトラックボールを含むことを特徴とする上記（８）に記載の表示システム。
（５５）  前記カーソル制御装置がマウスを含むことを特徴とする上記（８）に記載の表示システム。
（５６）  前記カーソル制御装置がキーボードを含むことを特徴とする上記（８）に記載の表示システム。
（５７）  前記ユーザが前記ＣＰＵに結合されたキーボードを使用して文字を入力し、前記スライダが前記スクロール・バー上の対応する文字の上に表示されるように前記ＣＰＵが前記スライダを移動させることにより、前記スライダが文字の上に位置決めされることを特徴とする上記（２）に記載の表示システム。
（５８）  前記ユーザが前記ウィンドウ内に配置された垂直スクロール・バーの一部の上に前記カーソルを位置決めして前記ＣＰＵに第１の信号を提供し、第２の信号が前記ＣＰＵによって受け取られるまで前記ＣＰＵが前記ウィンドウ内の前記データをスクロールし、前記スライダが前記ウィンドウ内の所定の位置にある現行データ項目に対応する前記スクロール・バー上の文字の上に表示されるように前記ＣＰＵが前記スライダを表示することにより、前記スライダが文字の上に位置決めされることを特徴とする上記（２）に記載の表示システム。
（５９）  前記ユーザ・インタフェース生成手段により表示される前記ウィンドウが、前記カーソル制御装置を使用してユーザによって前記ディスプレイ上の所望の位置に選択的に位置決め可能であることを特徴とする上記（２）に記載の表示システム。
（６０）  前記ＣＰＵが複数のウィンドウを生成し、前記ウィンドウがアクセス・ウィンドウを含む前記スクロール・バーを有することを特徴とする上記（１９）に記載の表示システム。
（６１）  前記アクセス・ウィンドウが、前記ディスプレイ上の第２のウィンドウの少なくとも一部の上に表示されることを特徴とする上記（２０）に記載の表示システム。
（６２）  前記アクセス・ウィンドウと前記第２のウィンドウが活動ウィンドウであり、それにより、前記ユーザが前記アクセス・ウィンドウおよび前記第２のウィンドウと、前記それぞれのウィンドウ内に表示されたデータとを操作することができることを特徴とする上記（２０）に記載の表示システム。
（６３）  その上に前記第２のウィンドウの少なくとも一部が表示される第３のウィンドウをさらに含むことを特徴とする上記（２２）に記載の表示システム。
（６４）  前記第３のウィンドウと前記第３のウィンドウ内に配置されたデータとを操作することを希望する前記ユーザが、前記カーソル制御装置を使用して前記ディスプレイ上の前記カーソルを前記第３のウィンドウの一部の上に置き、前記ＣＰＵに信号を提供することにより、前記第３のウィンドウを活動状態にし、前記信号を受け取ると、前記第３のウィンドウが前記アクセス・ウィンドウと前記第２のウィンドウとの間に表示され、前記アクセス・ウィンドウと前記第３のウィンドウが活動状態になり、前記第２のウィンドウが非活動状態になるように、前記ＣＰＵが前記第３のウィンドウの相対位置を修正することを特徴とする上記（２３）に記載の表示システム。
（６５）  前記ＣＰＵが前記ディスプレイ上に前記スクロール・バーを備えた前記アクセス・ウィンドウを生成して表示するように、前記ディスプレイが、前記アクセス・ウィンドウを選択するために前記ＣＰＵに結合された選択手段と前記カーソル制御装置とを含むことを特徴とする上記（２４）に記載の表示システム。
（６６）  前記アクセス・ウィンドウ内に表示された前記データが前記ユーザによる選択用の第１の複数の項目を含み、前記項目の１つを選択すると、前記アクセス・ウィンドウが消去され、前記ＣＰＵによりプレゼンテーション・ウィンドウが生成され表示されることを特徴とする上記（２４）に記載の表示システム。
（６７）  ディスプレイ上の複数のウィンドウにデータが表示されるようにデータを表示するための前記ディスプレイに結合された中央演算処理装置（ＣＰＵ）を有するコンピュータ表示システムにおいて、ユーザにより前記ウィンドウに前記データを表示する方法であって、
前記ＣＰＵに結合されたユーザ・インタフェース生成手段を使用して前記ウィンドウを生成して表示するステップと、
データを表示するために前記ウィンドウの少なくとも１つに作業域を決めるステップであって、前記作業域が、
前記スクロール・バーに沿って複数の文字を表示し、
前記ＣＰＵに結合されたスライダ位置決め手段を使用して前記文字の１つの一部の上にスライダを選択的に位置決し、前記文字の一部の上に前記スライダを置いて、前記ＣＰＵに前記作業域内に選択された前記文字に対応するデータを表示させるステップとを含むことを特徴とする方法。
（６８）  前記ディスプレイ上の前記カーソルを位置決めするために前記ＣＰＵに結合されたカーソル制御装置を使用して、前記スライダが位置決めされ、前記カーソル制御装置が前記ユーザによって制御されることを特徴とする上記（２７）に記載の方法。
（６９）  前記ユーザが前記スライダに対応する前記ディスプレイ上の所定の区域の上に前記カーソルを位置決めし、前記ＣＰＵに第１の信号を提供し、前記スライダが前記文字の前記一部の上に位置決めされるように前記カーソル制御装置を使用して前記ディスプレイ上の前記カーソルと前記スライダとを移動させ、前記ＣＰＵに第２の信号を提供することにより、前記スライダが前記所望の文字の上に位置決めされることを特徴とする上記（２８）に記載の方法。
（７０）  前記データが所定の階層通りに前記作業域に表示されることを特徴とする上記（２８）に記載の方法。
（７１）  前記スクロール・バーが前記ウィンドウを横切って水平に配置されることを特徴とする上記（２８）に記載の方法。
（７２）  その上に前記スライダが置かれる前記文字が、前記スライダを通して前記ユーザに見えることを特徴とする上記（３１）に記載の方法。
（７３）  前記スライダが四角形の形式になっていることを特徴とする上記（３２）に記載の方法。
（７４）  スイッチを押すことにより前記第１の信号が提供され、前記スイッチを解放することにより前記第２の信号が提供されることを特徴とする上記（３３）に記載の方法。
（７５）  前記スイッチが前記カーソル制御装置上に配置されることを特徴とする上記（３４）に記載の方法。
（７６）  前記ユーザが前記カーソル制御装置を使用して前記所望の文字に対応する前記ディスプレイの所定の区域の上に前記カーソルを位置決めして前記ＣＰＵに信号を提供し、前記スライダが前記所望の文字の上に表示されるように前記ＣＰＵが前記スライダを移動させることにより、前記スライダが文字の上に位置決めされることを特徴とする上記（２８）に記載の方法。
（７７）  前記ユーザが、前記カーソル制御装置上に配置されたスイッチを瞬間的に活動化することにより、前記信号が前記ＣＰＵに提供されることを特徴とする上記（３６）に記載の方法。
（７８）  前記ユーザが前記スライダの少なくとも一部の上に前記カーソルを位置決めして前記ＣＰＵに第１の信号を提供し、前記ユーザが前記カーソル制御装置を使用して前記スクロール・バーの末端まで前記スライダと前記カーソルとを移動させ、前記ＣＰＵが前記追加の文字を生成して表示し、表示されている前記他の文字を前記末端とは反対方向にスクロールすることにより、前記スクロール・バー上に追加の文字が表示されることを特徴とする上記（２８）に記載の方法。
（７９）  スイッチを押すことにより、前記第１の信号が前記ＣＰＵに提供されることを特徴とする上記（３８）に記載の方法。
（８０）  前記カーソル制御装置がトラックボールを含むことを特徴とする上記（３１）に記載の方法。
（８１）  前記カーソル制御装置がマウスを含むことを特徴とする上記（３１）に記載の方法。
（８２）  前記カーソル制御装置がキーボードを含むことを特徴とする上記（３１）に記載の方法。
（８３）  前記ユーザ・インタフェース生成手段により表示される前記ウィンドウが、前記カーソル制御装置を使用してユーザによって前記ディスプレイ上の所望の位置に選択的に位置決め可能であることを特徴とする上記（２８）に記載の方法。
（８４）  前記ＣＰＵが複数のウィンドウを生成し、前記ウィンドウがアクセス・ウィンドウを含む前記スクロール・バーを有することを特徴とする上記（４３）に記載の方法。
（８５）  前記アクセス・ウィンドウが、前記ディスプレイ上の第２のウィンドウの少なくとも一部の上に表示されることを特徴とする上記（４４）に記載の方法。
（８６）  前記アクセス・ウィンドウと前記第２のウィンドウが活動ウィンドウであり、それにより、前記ユーザが前記アクセス・ウィンドウおよび前記第２のウィンドウと、前記それぞれのウィンドウ内に表示されたデータとを操作することができることを特徴とする上記（４５）に記載の方法。
（８７）  その上に前記第２のウィンドウの少なくとも一部が表示される第３のウィンドウをさらに含むことを特徴とする上記（４６）に記載の方法。
（８８）  前記第３のウィンドウと前記第３のウィンドウ内に配置されたデータとを操作することを希望する前記ユーザが、前記カーソル制御装置を使用して前記ディスプレイ上の前記カーソルを前記第３のウィンドウの一部の上に置き、前記ＣＰＵに信号を提供することにより、前記第３のウィンドウを活動状態にし、前記信号を受け取ると、前記第３のウィンドウが前記アクセス・ウィンドウと前記第２のウィンドウとの間に表示され、前記アクセス・ウィンドウと前記第３のウィンドウが活動状態になり、前記第２のウィンドウが非活動状態になるように、前記ＣＰＵが前記第３のウィンドウの相対位置を修正することを特徴とする上記（４７）に記載の方法。
（８９）  前記ＣＰＵが前記ディスプレイ上に前記スクロール・バーを備えた前記アクセス・ウィンドウを生成して表示するように、前記ディスプレイが、前記アクセス・ウィンドウを選択するために前記ＣＰＵに結合された選択手段と前記カーソル制御装置とを含むことを特徴とする上記（４８）に記載の方法。
（９０）  前記アクセス・ウィンドウ内に表示された前記データが前記ユーザによる選択用の第１の複数の項目を含み、前記項目の１つを選択すると、前記アクセス・ウィンドウが消去され、前記ＣＰＵによりプレゼンテーション・ウィンドウが生成され表示されることを特徴とする上記（４９）に記載の表示システム。
（９１）  ディスプレイに結合された中央演算処理装置（ＣＰＵ）を有するコンピュータ表示システムにおいて、前記表示システムのユーザに視覚的合図を与える方法において、
前記ＣＰＵに結合されたユーザ・インタフェース生成手段を使用して前記ディスプレイ上に複数のオブジェクトを含むユーザ・インタフェースを生成して表示するステップと、
前記ユーザ・インタフェース生成手段に結合された指示マーク生成手段を使用して、少なくとも１つの幾何学形状を備える指示マークを生成するステップと、
前記ディスプレイ上に前記指示マークを表示して、前記ユーザに対して前記ディスプレイ上の前記オブジェクトの少なくとも１つを視覚的に識別させるステップとを含むことを特徴とする方法。
（９２）  前記ユーザによって前記ＣＰＵに提供される第１の信号に応答して、前記指示マークが表示されることを特徴とする上記（１）に方法。
（９３）  前記ユーザ・インタフェース生成手段が、その中にデータおよびオブジェクトが表示される前記ディスプレイ上のウィンドウをさらに生成して表示することを特徴とする上記（２）に記載の方法。
（９４）  前記指示マークが前記ユーザに対して前記ウィンドウ内のオブジェクトを識別することを特徴とする上記（３）に記載の方法。
（９５）  前記第１の信号が、前記ユーザによって前記ＣＰＵに入力されたヘルプ照会を含むことを特徴とする上記（３）に記載の方法。
（９６）  前記指示マークの少なくとも１つが、概して、前記ユーザに対して識別されるオブジェクトを囲む円の形状になっていることを特徴とする上記（４）に記載の方法。
（９７）  前記指示マークの少なくとも１つが、概して、矢尻と軸とを含む矢印の形状になっており、前記矢尻が前記ディスプレイ上のオブジェクトの方を向き、それを識別することを特徴とする上記（４）に記載の方法。
（９８）  前記指示マークの少なくとも１つが、概して、前記ディスプレイ上のオブジェクトの位置を識別するＸの形状になっていることを特徴とする上記（４）に記載の方法。
（９９）  前記Ｘが、前記ユーザがデータを入力すべき前記ディスプレイ上の位置を識別することを特徴とする上記（８）記載の方法。
（１００）  前記指示マークが、概して、水平線の形状になっていることを特徴とする上記（４）に記載の方法。
（１０１）  前記指示マークがカラー表示されることを特徴とする上記（４）に記載の方法。
（１０２）  前記カラーが半透明であることを特徴とする上記（１１）に記載の方法。
（１０３）  前記マークがアニメーションで表現されているように見えるように、他のオブジェクトが前記ＣＰＵによって表示されるより遅い速度で前記指示マークが前記ディスプレイ上に表現されることを特徴とする上記（４）に記載の方法。
（１０４）  前記方法が、
前記ＣＰＵがアクセス・ウィンドウを生成して表示するステップであって、前記アクセス・ウィンドウが第１および第２の作業域と前記ユーザによる選択用の少なくとも１つのアクセス・ボタン機能とを含むステップと、
前記ユーザが、前記ＣＰＵに結合された選択手段を使用して前記ボタン機能を選択するステップと、
前記ＣＰＵが前記第１の作業域に項目を表示するステップと、
前記ユーザが前記第１の作業域内の前記項目の１つを選択するステップと、
前記ＣＰＵが、選択された前記項目に関連する複数の句を前記第２の作業域に表示するステップと、
前記ユーザが、前記選択手段を使用して表示された前記句の１つを選択するステップと、
前記ＣＰＵが、前記ユーザのために選択された前記句に関連する命令データを含む少なくとも１つのプレゼンテーション・ウィンドウを前記ディスプレイ上に表示するステップとをさらに含むことを特徴とする上記（５）に記載の方法。
（１０５）  前記プレゼンテーション・ウィンドウの表示と同時に前記指示マークが表示されることを特徴とする上記（１４）に記載の方法。
（１０６）  前記ボタン機能がトピック・ボタン機能を含み、前記項目が前記ユーザによる選択のために順序づけられたトピック項目のリストを含むことを特徴とする上記（１５）に記載の方法。
（１０７）  前記ユーザによる選択のために前記句が質問の形式になっていることを特徴とする上記（１６）に記載の方法。
（１０８）  前記アクセス・ウィンドウが検索ボタン機能をさらに含み、前記ユーザが前記検索ボタン機能を選択すると、前記第１の作業域に探索サブウィンドウが表示されることを特徴とする上記（１７）に記載の方法。
（１０９）  前記ユーザが、前記探索サブウィンドウに探索単語を入力して、前記探索単語を探索するよう前記ＣＰＵに第２の信号を提供することを特徴とする上記（１８）に記載の方法。
（１１０）  前記第２の信号を感知すると、前記ＣＰＵが入力された前記探索単語に関連する前記句を前記アクセス・ウィンドウの前記第２の作業域に表示し、前記句が質問の形式になっていることを特徴とする上記（１９）に記載の方法。
（１１１）  前記ディスプレイ上のカーソルを前記アクセス・ウィンドウ内の探索ボタン機能の上に置き、前記ＣＰＵに結合されたスイッチを瞬間的に活動化することにより、前記ユーザが、前記探索単語を探索するよう前記ＣＰＵに前記第２の信号を提供することを特徴とする上記（２０）に記載の方法。
（１１２）  前記アクセス・ウィンドウに表示された索引ボタン機能をさらに含むことを特徴とする上記（２１）に記載の方法。
（１１３）  前記ユーザが前記索引ボタン機能を選択すると、前記ＣＰＵが前記第１の作業域に索引ウィンドウを表示し、前記作業域が、
前記スクロール・バーに沿って表示される複数の文字と、
前記ＣＰＵに結合されたスライダ位置決め手段を使用して前記文字のそれぞれの少なくとも一部の上に選択的に位置決め可能なスライダとを含む、スクロール・バーを有し、
１つの文字の一部の上に前記スライダを置くと、前記ＣＰＵが選択された前記文字に対応するデータを前記第１の作業域に表示することを特徴とする上記（２２）に記載の方法。
（１１４）  前記ユーザが前記スライダの少なくとも一部の上に前記カーソルを位置決めし、前記ＣＰＵに第３の信号を提供し、前記スライダが前記文字の前記一部の上に位置決めされるように前記カーソル制御装置を使用して前記ディスプレイ上の前記カーソルと前記スライダとを移動させ、前記ＣＰＵに第４の信号を提供することにより、前記スライダが前記所望の文字の上に位置決めされることを特徴とする上記（２３）に記載の方法。
（１１５）  スイッチを押すことにより前記第３の信号が提供され、前記スイッチを解放することにより前記第４の信号が提供されることを特徴とする上記（２４）に記載の方法。
（１１６）  前記ユーザが前記カーソル制御装置を使用して前記所望の文字に対応する前記ディスプレイの一部の上に前記カーソルを位置決めして前記ＣＰＵに第５の信号を提供し、前記スライダが前記所望の文字の上に表示されるように前記ＣＰＵが前記スライダを移動させることにより、前記スライダが文字の上に位置決めされることを特徴とする上記（２５）に記載の方法。
（１１７）  ディスプレイに結合された中央演算処理装置（ＣＰＵ）を有するコンピュータ表示システムにおいて、
前記ＣＰＵに結合され、複数のオブジェクトを含むユーザ・インタフェースを前記ディスプレイ上に生成して表示するユーザ・インタフェース生成手段と、
前記ユーザ・インタフェース生成手段に結合され、幾何学形状に近い指示マークを生成する指示マーク生成手段とを含み、
前記ディスプレイ上のオブジェクトが前記指示マークによって前記ユーザに対して視覚的に識別されるように、前記指示マークが前記ディスプレイ上に表示されることを特徴とする表示システム。
（１１８）  前記ユーザによって前記ＣＰＵに提供される第１の信号に応答して、前記指示マークが表示されることを特徴とする上記（２７）に記載に表示システム。
（１１９）  前記ユーザ・インタフェース生成手段が、その中にデータおよびオブジェクトが表示される前記ディスプレイ上のウィンドウをさらに生成して表示することを特徴とする上記（２８）に記載の表示システム。
（１２０）  前記指示マークが前記ユーザに対して前記ウィンドウ内のオブジェクトを識別することを特徴とする上記（２９）に記載の表示システム。
（１２１）  前記第１の信号が、前記ユーザによって前記ＣＰＵに入力されたヘルプ照会を含むことを特徴とする上記（２９）に記載の表示システム。
（１２２）  前記指示マークの少なくとも１つが、概して、前記ユーザに対して識別されるオブジェクトを囲む円の形状になっていることを特徴とする上記（２９）に記載の表示システム。
（１２３）  前記指示マークの少なくとも１つが、概して、矢尻と軸とを含む矢印の形状になっており、前記矢尻が前記ディスプレイ上のオブジェクトの方を向き、それを識別することを特徴とする上記（２９）に記載の表示システム。
（１２４）  前記指示マークの少なくとも１つが、概して、前記ディスプレイ上のオブジェクトの位置を識別するＸの形状になっていることを特徴とする上記（２９）に記載の表示システム。
（１２５）  前記Ｘが、前記ユーザがデータを入力すべき前記ディスプレイ上の位置を識別することを特徴とする上記（３４）に記載の表示システム。
（１２６）  前記指示マークが、概して、水平線の形状になっていることを特徴とする上記（２９）に記載の表示システム。
（１２７）  前記指示マークがカラー表示されることを特徴とする上記（２９）に記載の表示システム。
（１２８）  前記カラーが半透明であることを特徴とする上記（３７）に記載の表示システム。
（１２９）  前記マークがアニメーションで表現されているように見えるように、他のオブジェクトが前記ＣＰＵによって表示されるより遅い速度で前記指示マークが前記ディスプレイ上に表現されることを特徴とする上記（２９）に記載の表現システム。
（１３０）  前記ユーザ・インタフェース生成手段が、
第１および第２の作業域と前記ユーザによる選択用の少なくとも１つのアクセス・ボタン機能とを含むアクセス・ウィンドウと、
前記ＣＰＵに結合され、前記ボタン機能を選択する選択手段であって、前記ボタン機能が選択されると前記ＣＰＵが前記第１の作業域に項目を表示する選択手段とをさらに表示し、
前記第１の作用域内の前記項目の１つが選択されると前記ＣＰＵが選択された前記項目に関連する複数の句を前記第２の作業域に表示し、前記ユーザが前記選択手段を使用して表示された前記句の１つを選択し、
前記ユーザが表示された前記句の１つを選択すると少なくとも１つのプレゼンテーション・ウィンドウをさらに表示し、前記プレゼンテーション・ウィンドウが前記ディスプレイ上で前記ユーザのための選択された前記句に関連するヘルプ命令データを含み、前記アクセス・ウィンドウがもはや前記ＣＰＵによって表示されなくなることを特徴とする上記（３１）に記載の表示システム。
（１３１）  前記ボタン機能がトピック・ボタン機能を含み、前記項目が前記ユーザによる選択のために順序づけられたトピック項目のリストを含むことを特徴とする上記（４０）に記載の表示システム。
（１３２）  前記ユーザによる選択のために前記句が質問の形式になっていることを特徴とする上記（４１）に記載の表示システム。
（１３３）  前記アクセス・ウィンドウが検索ボタン機能をさらに含み、前記ユーザが前記検索ボタン機能を選択すると、前記ＣＰＵが前記第１の作業域に探索サブウィンドウを表示することを特徴とする上記（４２）に記載の表示システム。
（１３４）  前記ユーザが、前記探索サブウィンドウに探索単語を入力して、前記探索単語を探索するよう前記ＣＰＵに第２の信号を提供することを特徴とする上記（４３）に記載の表示システム。
（１３５）  前記第２の信号を感知すると、前記ＣＰＵが入力された前記探索単語に関連する前記句を前記アクセス・ウィンドウの前記第２の作業域に表示し、前記句が質問の形式になっていることを特徴とする上記（４４）に記載の表示システム。
（１３６）  前記ディスプレイ上のカーソルを前記アクセス・ウィンドウ内の探索ボタン機能の上に置くことにより、前記ユーザが、前記探索単語を探索するよう前記ＣＰＵに前記第２の信号を提供し、前記ＣＰＵに結合されたスイッチを瞬間的に活動化することを特徴とする上記（４５）に記載の表示システム。
（１３７）  前記アクセス・ウィンドウに表示された索引ボタン機能をさらに含むことを特徴とする上記（４１）に記載の表示システム。
（１３８）  前記ユーザが前記索引ボタン機能を選択すると、前記ＣＰＵが前記第１の作業域に索引ウィンドウを表示し、前記作業域が、
前記スクロール・バーに沿って表示される複数の文字と、
前記ＣＰＵに結合されたスライダ位置決め手段を使用して前記文字のそれぞれの一部の上に選択的に位置決め可能なスライダとを含む、スクロール・バーを有し、
１つの文字の一部の上に前記スライダを置くと、前記ＣＰＵが選択された前記文字に対応するデータを前記第１の作業域に表示することを特徴とする上記（４７）に記載の表示システム。
（１３９）  前記ユーザが前記スライダの少なくとも一部の上に前記カーソルを位置決めし、前記ＣＰＵに第３の信号を提供し、前記スライダが前記文字の前記一部の上に位置決めされるように前記カーソル制御装置を使用して前記ディスプレイ上の前記カーソルと前記スライダとを移動させ、前記ＣＰＵに第４の信号を提供することにより、前記スライダが前記所望の文字の上に位置決めされることを特徴とする上記（４８）に記載の表示システム。
（１４０）  前記データが所定の階層通りに前記第１の作業域に表示されることを特徴とする上記（４９）に記載の表示システム。
（１４１）  ディスプレイ上のウィンドウ内にデータが表示されるように前記ディスプレイに結合された中央演算処理装置（ＣＰＵ）を有するコンピュータ表示システムで前記表示システムのユーザに情報を与える方法であって、
前記ＣＰＵが、第１および第２の作業域と前記ユーザによる選択用の少なくとも１つのアクセス・ボタン機能とを含むアクセス・ウィンドウを生成して表示するステップと、
前記ユーザが、前記ＣＰＵに結合された選択手段を使用して前記ボタン機能を選択するステップと、
前記ＣＰＵが前記第１の作業域に項目を表示するステップと、
前記ユーザが前記第１の作業域内の前記項目の１つを選択するステップと、
前記ＣＰＵが、選択された前記項目に関連する複数の句を前記第２の作業域に表示するステップと、
前記ユーザが、前記選択手段を使用して表示された前記句の１つを選択するステップと、
前記ＣＰＵが、前記ユーザのために選択された前記句に関連する命令データを含む少なくとも１つのプレゼンテーション・ウィンドウを前記ディスプレイ上に表示するステップとを含むことを特徴とする方法。
（１４２）  前記ボタン機能がトピック・ボタン機能を含み、前記項目が前記ユーザによる選択のために順序づけられたトピック項目のリストを含むことを特徴とする上記（１）に記載の方法。
（１４３）  前記ユーザによる選択のために前記句が質問の形式になっていることを特徴とする上記（２）に記載の方法。
（１４４）  前記アクセス・ウィンドウが検索ボタン機能をさらに含み、前記ユーザが前記検索ボタン機能を選択すると、前記第１の作業域に探索サブウィンドウが表示されることを特徴とする上記（３）に記載の方法。
（１４５）  前記ユーザが、前記探索サブウィンドウに探索単語を入力して、前記探索単語を探索するよう前記ＣＰＵに第１の信号を提供することを特徴とする上記（４）に記載の方法。
（１４６）  前記第１の信号を感知すると、前記ＣＰＵが入力された前記探索単語に関連する前記句を前記アクセス・ウィンドウの前記第２の作業域に表示し、前記句が質問の形式になっていることを特徴とする上記（５）に記載の方法。
（１４７）  前記ディスプレイ上のカーソルを前記アクセス・ウィンドウ内の探索ボタン機能の上に置き、前記ＣＰＵに結合されたスイッチを瞬間的に活動化することにより、前記ユーザが、前記探索単語を探索するよう前記ＣＰＵに前記第１の信号を提供することを特徴とする上記（６）に記載の方法。
（１４８）  前記アクセス・ウィンドウに表示された索引ボタン機能
をさらに含むことを特徴とする上記（４）に記載の方法。
（１４９）  前記ユーザが前記索引ボタン機能を選択すると、前記ＣＰＵが前記第１の作業域に索引ウィンドウを表示し、前記作業域が、
前記スクロール・バーに沿って表示される複数の文字と、
前記ＣＰＵに結合されたスライダ位置決め手段を使用して前記文字のそれぞれの一部の上に選択的に位置決め可能なスライダとを含む、スクロール・バーを有し、
１つの文字の一部の上に前記スライダを置くと、前記ＣＰＵが選択された前記文字に対応するデータを前記第１の作業域に表示することを特徴とする上記（８）に記載の方法。
（１５０）  前記ユーザが前記スライダに対応する前記ディスプレイ上の所定の区域の上に前記カーソルを位置決めし、前記ＣＰＵに第２の信号を提供し、前記スライダが前記文字の前記一部の上に位置決めされるように前記カーソル制御装置を使用して前記ディスプレイ上の前記カーソルと前記スライダとを移動させ、前記ＣＰＵに第３の信号を提供することにより、前記スライダが前記所望の文字の上に位置決めされることを特徴とする上記（９）に記載の方法。
（１５１）  前記データが所定の階層通りに前記第１の作業域に表示されることを特徴とする上記（１０）に記載の方法。
（１５２）  前記スクロール・バーが前記ウィンドウを横切って水平に配置されることを特徴とする上記（１１）に記載の方法。
（１５３）  その上に前記スライダが置かれる前記文字が、前記スライダを通して前記ユーザに見えることを特徴とする上記（１２）に記載の方法。
（１５４）  前記スライダが四角形の形式になっていることを特徴とする上記（１３）に記載の方法。
（１５５）  スイッチを押すことにより前記第２の信号が提供され、前記スイッチを解放することにより前記第３の信号が提供されることを特徴とする上記（１２）に記載の方法。
（１５６）  前記スイッチが前記ＣＰＵに結合されたカーソル制御装置上に配置されることを特徴とする上記（１５）に記載の方法。
（１５７）  前記ユーザが前記カーソル制御装置を使用して前記所望の文字に対応する前記ディスプレイの一部の上に前記カーソルを位置決めして前記ＣＰＵに第４の信号を提供し、前記スライダが前記所望の文字の上に表示されるように前記ＣＰＵが前記スライダを移動させることにより、前記スライダが文字の少なくとも一部の上に位置決めされることを特徴とする上記（１５）に記載の方法。
（１５８）  前記ユーザが前記スイッチを瞬間的に活動化することにより、前記第４の信号が前記ＣＰＵに提供されることを特徴とする上記（１７）に記載の方法。
（１５９）  前記ユーザが前記スライダに対応する前記ディスプレイ上の前記所定の区域の上に前記カーソルを位置決めして前記ＣＰＵに前記第２の信号を提供し、前記ユーザが前記カーソル制御装置を使用して前記スクロール・バーの末端まで前記スライダと前記カーソルとを移動させ、前記ＣＰＵが前記追加の文字を生成して表示し、表示されている前記他の文字を前記末端とは反対方向にスクロールすることにより、前記スクロール・バー上に追加の文字が表示されることを特徴とする上記（１７）に記載の方法。
（１６０）  前記ＣＰＵが前記ディスプレイ上に指示マークを生成して表示するステップをさらに含み、前記指示マークが前記プレゼンテーション・ウィンドウに表示される前記情報に関連する特徴を前記ディスプレイ上で識別することを特徴とする上記（８）に記載の方法。
（１６１）  前記指示マークが前記プレゼンテーション・マークとほぼ同時に表示されることを特徴とする上記（２０）に記載の方法。
（１６２）  前記マークが幾何学オブジェクトの形状に近く見えるように、前記指示マークが前記ＣＰＵによって表現されることを特徴とする上記（２０）に記載の方法。
（１６３）  前記指示マークの概略形状が円になっていることを特徴とする上記（２２）に記載の方法。
（１６４）  前記指示マークの概略形状が矢尻と軸とを有する矢印になっており、前記矢尻が前記ユーザのために前記ディスプレイ上の特徴を識別することを特徴とする上記（２２）に記載の方法。
（１６５）  前記指示マークの概略形状が下線マークになっており、前記ユーザのために前記ディスプレイ上の特徴に下線を付けることを特徴とする上記（２２）に記載の方法。
（１６６）  前記指示マークの概略形状がＸになっており、Ｘが前記ユーザによるデータ入力を必要とする前記ディスプレイ上の特徴の上に置かれることを特徴とする上記（２２）に記載の方法。
（１６７）  前記軸が湾曲していることを特徴とする上記（２４）に記載の方法。
（１６８）  前記指示マークが前記ディスプレイ上にカラーで表現されることを特徴とする上記（２２）に記載の方法。
（１６９）  ディスプレイ上のウィンドウ内にデータが表示されるように前記ディスプレイに結合された中央演算処理装置（ＣＰＵ）を有するコンピュータ表示システムでの前記表示システムのユーザに情報を与えるヘルプ・システムにおいて、
前記ＣＰＵによって生成され表示される、第１および第２の作業域と前記ユーザによる選択用の少なくとも１つのアクセス・ボタン機能とを含むアクセス・ウィンドウと、
前記ＣＰＵに結合され、前記ボタン機能が選択されると前記ＣＰＵが前記第１の作業域に項目を表示する、前記ボタン機能を選択する選択手段とを含み、
前記第１の作業域内の前記項目の１つが選択されると、前記ＣＰＵが選択された前記項目に関連する複数の句を前記第２の作業域に表示し、前記ユーザが前記選択手段を使用して表示された前記句の１つを選択し、
さらに、前記ユーザが表示された前記句の１つを選択すると表示される、前記ディスプレイ上の前記ユーザのための選択された前記句に関連するヘルプ命令データを含む少なくとも１つのプレゼンテーション・ウィンドウを含み、そのプレゼンテーション・ウィンドウが表示されると前記アクセス・ウィンドウがもはや前記ＣＰＵによって表示されなくなることを特徴とする表示システム。
（１７０）  前記ボタン機能がトピック・ボタン機能を含み、前記項目が前記ユーザによる選択のために順序づけられたトピック項目のリストを含むことを特徴とする上記（２９）に記載の表示システム。
（１７１）  前記ユーザによる選択のために前記句が質問の形式になっていることを特徴とする上記（３０）に記載の表示システム。
（１７２）  前記アクセス・ウィンドウが検索ボタン機能をさらに含み、前記ユーザが前記検索ボタン機能を選択すると、前記ＣＰＵが前記第１の作業域に探索サブウィンドウを表示することを特徴とする上記（３１）に記載の表示システム。
（１７３）  前記ユーザが、前記探索サブウィンドウに探索単語を入力して、前記探索単語を探索するよう前記ＣＰＵに第１の信号を提供することを特徴とする上記（３２）に記載の表示システム。
（１７４）  前記第１の信号を感知すると、前記ＣＰＵが入力された前記探索単語に関連する前記句を前記アクセス・ウィンドウの前記第２の作業域に表示し、前記句が質問の形式になっていることを特徴とする上記（３３）に記載の表示システム。
（１７５）  前記ディスプレイ上のカーソルを前記アクセス・ウィンドウ内の探索ボタン機能の上に置くことにより、前記ユーザが前記探索単語を探索するよう前記ＣＰＵに前記第１の信号を提供し、前記ＣＰＵに結合されたスイッチを瞬間的に活動化することを特徴とする上記（３４）に記載の表示システム。
（１７６）  前記アクセス・ウィンドウに表示された索引ボタン機能をさらに含むことを特徴とする上記（３０）に記載の表示システム。
（１７７）  前記ユーザが前記索引ボタン機能を選択すると、前記ＣＰＵが前記第１の作業域に索引ウィンドウを表示し、前記作業域が、
前記スクロール・バーに沿って表示される複数の文字と、
前記ＣＰＵに結合されたスライダ位置決め手段を使用して前記文字のそれぞれの少なくとも一部の上に選択的に位置決め可能なスライダとを含む、スクロール・バーを有し、
１つの文字の一部の上に前記スライダを置くと、前記ＣＰＵが選択された前記文字に対応するデータを前記第１の作業域に表示することを特徴とする上記（３６）に記載の表示システム。
（１７８）  前記ユーザが前記スライダに対応する前記ディスプレイ上の所定の区域の上に前記カーソルを位置決めし、前記ＣＰＵに第２の信号を提供し、前記スライダが前記文字の前記一部の上に位置決めされるように前記カーソル制御装置を使用して前記ディスプレイ上の前記カーソルと前記スライダとを移動させ、前記ＣＰＵに第３の信号を提供することにより、前記スライダが前記所望の文字の上に位置決めされることを特徴とする上記（３７）に記載の表示システム。
（１７９）  前記データが所定の階層通りに前記第１の作業域に表示されることを特徴とする上記（３７）に記載の表示システム。
（１８０）  前記スクロール・バーが前記ウィンドウを横切って水平に配置されることを特徴とする上記（３７）に記載の表示システム。
（１８１）  その上に前記スライダが置かれる前記文字が、前記スライダを通して前記ユーザに見えることを特徴とする上記（４０）に記載の表示システム。
（１８２）  前記スライダが四角形の形式になっていることを特徴とする上記（４１）に記載の表示システム。
（１８３）  スイッチを押すことにより前記第２の信号が提供され、前記スイッチを解放することにより前記第３の信号が提供されることを特徴とする上記（３９）に記載の表示システム。
（１８４）  前記スイッチが前記ＣＰＵに結合されたカーソル制御装置上に配置されることを特徴とする上記（４３）に記載の表示システム。
（１８５）  前記ユーザが前記カーソル制御装置を使用して前記所望の文字に対応する前記ディスプレイの前記所定の区域の上に前記カーソルを位置決めして前記ＣＰＵに第４の信号を提供し、前記スライダが前記所望の文字の上に表示されるように前記ＣＰＵが前記スライダを移動させることにより、前記スライダが文字の少なくとも一部の上に位置決めされることを特徴とする上記（３９）に記載の表示システム。
（１８６）  前記ユーザが前記スイッチを瞬間的に活動化することにより、前記第４の信号が前記ＣＰＵに提供されることを特徴とする上記（４５）に記載の表示システム。
（１８７）  前記ユーザが前記スライダに対応する前記ディスプレイ上の前記所定の区域の上に前記カーソルを位置決めして前記ＣＰＵに前記第２の信号を提供し、前記ユーザが前記カーソル制御装置を使用して前記スクロール・バーの末端まで前記スライダと前記カーソルとを移動させ、前記ＣＰＵが前記追加の文字を生成して表示し、表示されている前記他の文字を前記末端とは反対方向にスクロールすることにより、前記スクロール・バー上に追加の文字が表示されることを特徴とする上記（３９）に記載の表示システム。
（１８８）  前記ＣＰＵに結合され、前記ディスプレイ上に指示マークを生成して表示する指示マーク生成手段をさらに含み、前記指示マークが前記プレゼンテーション・ウィンドウに表示される前記情報に関連する特徴を前記ディスプレイ上で識別することを特徴とする上記（２９）に記載の表示システム。
（１８９）  前記指示マークが前記プレゼンテーション・マークとほぼ同時に表示されることを特徴とする上記（４８）に記載の表示システム。
（１９０）  前記マークが幾何学オブジェクトの形状に近く見えるように、前記指示マークが前記ＣＰＵによって表現されることを特徴とする上記（４９）に記載の表示システム。
（１９１）  前記指示マークの概略形状が円になっていることを特徴とする上記（５０）に記載の表示システム。
（１９２）  前記指示マークの概略形状が矢尻と軸とを有する矢印になっており、前記矢尻が前記ユーザのために前記ディスプレイ上の特徴を識別することを特徴とする上記（５０）に記載の表示システム。
（１９３）  前記指示マークの概略形状が下線マークになっており、前記ユーザのために前記ディスプレイ上の特徴に下線を付けることを特徴とする上記（５０）に記載の表示システム。
（１９４）  前記指示マークの概略形状がＸになっており、Ｘが前記ユーザによるデータ入力を必要とする前記ディスプレイ上の特徴の上に置かれることを特徴とする上記（５０）に記載の表示システム。
（１９５）  前記軸が湾曲していることを特徴とする上記（５２）に記載の表示システム。
（１９６）  前記指示マークが前記ディスプレイ上にカラーで表現されることを特徴とする上記（５１）に記載の表示システム。
【符号の説明】
【００６４】
４０  表示手段、４２  マウス、４４  カーソル（カーソル制御装置）、４６  スイッチ、４８  コンピュータ・システム、１３０  アクセス・ウィンドウ、１４８，２５０  スクロール・バー、１６０  トピック、１６５，３００，３１０  プレゼンテーション・ウィンドウ、１４５，１５０  作業域、１７５  スライダ、１７６  英字スクロール・バー、２００  検索画面、２１０  テキスト・ボックス、２１５  探索ボタン機能、３４０，３５５，３７０，３８６  指示マーク。
【図１】
2010244574.tif 000003
【図２】
2010244574.tif 000004
【図３】
2010244574.tif 000005
【図４】
2010244574.tif 000006
【図５】
2010244574.tif 000007
【図６】
2010244574.tif 000008
【図７】
2010244574.tif 000009
【図８】
2010244574.tif 000010
【図９】
2010244574.tif 000011
【図１０】
2010244574.tif 000012
【図１１】
2010244574.tif 000013
【図１２】
2010244574.tif 000014
【図１３】
2010244574.tif 000015
【図１４】
2010244574.tif 000016
【図１５】
2010244574.tif 000017
【図１６】
2010244574.tif 000018
【図１７】
2010244574.tif 000019
【図１８】
2010244574.tif 000020
【図１９】
2010244574.tif 000021
【図２０】
2010244574.tif 000022
【図２１】
2010244574.tif 000023
【図２２】
2010244574.tif 000024
【図２３】
2010244574.tif 000025
【図２４】
2010244574.tif 000026
【図２５】
2010244574.tif 000027
【図２６】
2010244574.tif 000028
【図２７】
2010244574.tif 000029
【図２８】
2010244574.tif 000030
【図２９】
2010244574.tif 000031
【図３０】
2010244574.tif 000032
【図３１】
2010244574.tif 000033
【図３２】
2010244574.tif 000034
【図３３】
2010244574.tif 000035
【図３４】
2010244574.tif 000036
【図３５】
2010244574.tif 000037
【図３６】
2010244574.tif 000038
【図３７】
2010244574.tif 000039
【図３８】
2010244574.tif 000040